(57)【要約】【課題】  天井などに向きを揃えて取り付け可能なＬＥＤ照明装置を提供すること。【解決手段】  複数のＬＥＤチップを備えるＬＥＤ照明装置Ａ１０であって、上記複数のＬＥＤチップが搭載されており、第１の方向ｘに沿って延びる細長状の支持部材と、上記支持部材を保持し、第１の方向ｘと直交する第２の方向ｚに取り付け可能な支持体１１０と、を備えており、支持体１１０は、各々がこの支持体１１０の第３の方向ｙにおける位置を指し示し、かつ、第１の方向ｘに離間するとともに、第３の方向ｙにおいて同じ位置に設けられた複数の指標部１１０ｂ，１１０ｃを有している。【選択図】  図６０
2020035763.tif 000002
【特許請求の範囲】
【請求項１】
複数のＬＥＤチップを備えるＬＥＤ照明装置であって、
前記複数のＬＥＤチップが搭載されており、第１の方向に沿って延びる細長状の支持部材と、
前記支持部材を保持し、前記第１の方向と直交する第２の方向に取り付け可能な支持体と、を備えており、
前記支持体は、各々がこの支持体の前記第１および第２の方向と直交する第３の方向における位置を指し示し、かつ、前記第１の方向に離間するとともに、前記第３の方向において同じ位置に設けられた複数の指標部を有していることを特徴とする、ＬＥＤ照明装置。
【請求項２】
前記支持体は、前記第２の方向にネジを通すための複数のネジ穴を備えており、
前記第３の方向において、前記複数のネジ穴および前記複数の指標部は、同じ位置に配置されている、請求項１に記載のＬＥＤ照明装置。
【請求項３】
前記複数の指標部は、前記支持体に形成された複数の切り欠きである、請求項１または２に記載のＬＥＤ照明装置。
【請求項４】
前記複数の切り欠きは、前記支持体の前記第１の方向における両端に形成されたものを含む、請求項２または３に記載のＬＥＤ照明装置。
【請求項５】
前記複数の切り欠きは、前記複数のネジ穴と一体に形成されたものを含んでいる、請求項２ないし４のいずれかに記載のＬＥＤ照明装置。
【請求項６】
前記複数の切り欠きは、前記第２の方向視において楔形の形状を有している、請求項２ないし５のいずれかに記載のＬＥＤ照明装置。
【発明の詳細な説明】
【技術分野】
【０００１】
本発明は、複数のＬＥＤチップを備えており、たとえば屋内の床面照明や壁面照明に用いられるＬＥＤ照明装置に関する。
【背景技術】
【０００２】
図１１４は、従来のＬＥＤ照明装置の一例を断面図で示している（たとえば特許文献１参照）。同図に示されたＬＥＤ照明装置Ｘは、長矩形状の基板９１と、基板９１上に実装された複数のＬＥＤチップ９２と、基板９１を収容する管９３と、端子９４と、ＬＥＤチップ９２を点灯させるための回路９５とを備えている。基板９１上には複数のＬＥＤチップ９２および端子９４に接続される図示しない配線が形成されている。このＬＥＤ照明装置Ｘは、端子９４を一般用蛍光灯照明器具のソケットの差込口に嵌合させることにより、複数のＬＥＤチップ９２を発光させることができるように構成されている。ＬＥＤチップ９２は、低消費電力であるとともに長寿命であることから、ＬＥＤ照明装置Ｘを蛍光ランプの代替として利用すれば、コスト面および環境面において改善が期待できる。なお、一般用蛍光灯照明器具とは、主に屋内の一般照明に広く用いられる照明器具であり、たとえば日本国内においては、商用１００Ｖ電源を用い、ＪＩＳ  Ｃ７６１７に定められた直管形蛍光ランプまたはＪＩＳ  Ｃ７６１８に定められた環形蛍光ランプが取り付けられる照明器具をいう。
【０００３】
しかしながら、従来の蛍光ランプが用いられた照明器具は、その両端に端子９４が存在し、全周方向に光を発することが前提として構成されている。このため、たとえば、複数の蛍光ランプを直列に配した照明器具に複数のＬＥＤ照明装置Ｘを取り付けると、隣り合うＬＥＤ照明装置Ｘどうしの間に発光しない暗部が生じてしまう。これを見る者は、見栄えがよくないと感じてしまうことがある。あるいは、壁面の一部を照らしたい場合であっても、ＬＥＤ照明装置Ｘを用いると照らしたい箇所以外にも光が照射されてしまう。このため、たとえばＬＥＤ照明装置Ｘの半周分を覆う遮光カバーを設けるといったことが強いられてしまう。
【０００４】
さらに、ＬＥＤ照明装置Ｘでは、複数のＬＥＤチップ９２を光源として用いている。ＬＤチップ９２は点光源であるため、ＬＥＤ照明装置Ｘからの光は輝度むらを生じやすい。この輝度むらが顕著であると、見る方向によっては、個々のＬＥＤチップ９２が視認できてしまう場合がある。このようなことでは、見る者が見栄えがよくないと感じてしまうことがあった。
【０００５】
また、ＬＥＤ照明装置を、一般用蛍光灯照明器具を用いずに天井等に設置する場合、長時間に渡る使用により部品が劣化し、傾いたり向きがずれたりして、見栄えが悪くなることが懸念されている。
【０００６】
また、たとえば部屋の隅や柱などに沿うように、複数のＬＥＤ照明装置を異なる向きに取り付ける場合に、狭い範囲内に複数のＬＥＤ照明装置の端部が異なる向きに配置されることが想定される。このような場合、見る者に煩雑な印象を与えてしまい、見栄えが悪くなることが懸念されている。
【０００７】
また、ＬＥＤ照明装置Ｘを天井に取り付ける場合に、この天井に固定された一般用蛍光灯照明器具に取り付けられる。このため、ＬＥＤ照明装置Ｘは、天井から若干下方に離れた位置で発光する。すると、天井を見る者は、ＬＥＤ照明装置Ｘおよび上記一般用蛍光灯照明器具が天井からかなり飛び出た印象を受ける。この天井からの飛び出しが、屋内の様子をスマートな印象に統一することを阻害するといった問題があった。
【０００８】
また、天井に設置された照明器具にＬＥＤ照明装置Ｘを取り付けると、ＬＥＤ照明装置Ｘは、天井から相当飛び出た格好となる。このような飛び出たＬＥＤ照明装置Ｘは、室内が煩雑であるという印象を与えてしまうことがあった。
【先行技術文献】
【特許文献】
【０００９】
【特許文献１】実開平６−５４１０３号公報
【発明の概要】
【発明が解決しようとする課題】
【００１０】
本発明は、上記した事情のもとで考え出されたものであって、輝度むらを抑制することが可能なＬＥＤ照明装置を提供することをその課題とする。
【課題を解決するための手段】
【００１１】
本発明によって提供されるＬＥＤ照明装置は、被取付け面に取り付けるＬＥＤ照明装置であって、複数のＬＥＤチップが搭載されており、第１の方向に沿って延びるＬＥＤユニットと、少なくとも一部が上記被取付け面に設けられた開口よりも上記被取付け面奥方に位置し、かつ上記ＬＥＤユニットの少なくとも一部を収容する箱部を有する支持体と、を備えることを特徴としている。
【００１２】
本発明の好ましい実施の形態においては、上記支持体は、上記箱部の外周につながっており、かつ上記被取付け面に係合する額縁部をさらに備える。
【００１３】
本発明によって提供されるＬＥＤ照明装置は、複数のＬＥＤチップを備えるＬＥＤ照明装置であって、上記複数のＬＥＤチップが搭載されており、第１の方向に沿って延びる細長状の支持部材と、上記支持部材に連結され、上記複数のＬＥＤチップを覆い、上記複数のＬＥＤチップからの光を拡散させて外部へ出射する拡散カバーと、を備えており、上記拡散カバーは、上記第１の方向視において、上記ＬＥＤチップからの距離がもっとも小である部分を含む強拡散部を有しており、上記強拡散部の上記複数のＬＥＤチップからの光を拡散する度合いが上記拡散カバー全体の平均よりも強いことを特徴としている。
【００１４】
本発明の好ましい実施の形態においては、上記拡散カバーは、上記第１の方向視において、上記ＬＥＤチップからの距離が近い部分ほど、より厚く形成されている。
【００１５】
本発明の好ましい実施の形態においては、上記強拡散部は、上記拡散カバーの上記強拡散部以外の部分の材質よりも上記ＬＥＤチップからの光をより強く拡散する材質で形成されている。
【００１６】
本発明の好ましい実施の形態においては、上記拡散カバーは、厚さが一定である。
【００１７】
本発明の好ましい実施の形態においては、上記強拡散部は、上記拡散カバーの本体と、この本体に積層された、上記複数のＬＥＤチップからの光を拡散させる拡散部材とによって構成されている。
【００１８】
本発明の好ましい実施の形態においては、上記拡散カバーの上記本体は、厚さが一定である。
【００１９】
本発明の好ましい実施の形態においては、上記拡散材は、上記拡散カバーの上記本体の内側に積層されている。
【００２０】
本発明の好ましい実施の形態においては、上記ＬＥＤチップは、上記第１の方向と直交する第２の方向が主出射方向となるように設置されており、上記拡散カバーは、上記第１の方向視において、その外周形状が、上記ＬＥＤチップを中心とし、上記第２の方向を短径方向とする楕円状である。
【００２１】
本発明の好ましい実施の形態においては、上記強拡散部は、平板状である。
【００２２】
本発明の好ましい実施の形態においては、上記拡散カバーは、樹脂からなる。
【００２３】
本発明の好ましい実施の形態においては、上記拡散カバーは、乳白色である
【００２４】
本発明の好ましい実施の形態においては、各々が、上記ＬＥＤチップと、このＬＥＤチップが搭載されたリードと、上記ＬＥＤチップを覆う透光樹脂と、を具備する複数のＬＥＤモジュールを備える。
【００２５】
本発明の好ましい実施の形態においては、上記透光樹脂は、上記ＬＥＤチップからの光によって励起されることにより、上記ＬＥＤチップからの光とは異なる波長の光を発する蛍光物質を含む。
【００２６】
本発明の好ましい実施の形態においては、上記第１の方向および上記第２の方向のいずれに対しても直角である第３の方向における上記強拡散部の大きさが、上記ＬＥＤモジュールよりも大である。
【００２７】
本発明の好ましい実施の形態においては、上記複数のＬＥＤチップが搭載されており、かつ上記第１の方向に延びる細長状のＬＥＤユニットと、上記ＬＥＤユニットを保持し、かつ上記第２の方向を向く面に取り付けられる支持体と、を備えており、上記ＬＥＤユニットは、上記複数のＬＥＤチップを保持するブラケットを備えており、上記透光カバーは、上記ブラケットのうち、上記第２の方向において上記複数のＬＥＤチップから光が発せられる側とは反対側に位置する部分に対して取り付けられている。
【００２８】
本発明の好ましい実施の形態においては、上記ブラケットには、上記第２方向において上記複数のＬＥＤチップから光が発せられる側とは反対側にへこむ凹部が形成されており、上記複数のＬＥＤチップは、上記凹部に配置されている。
【００２９】
本発明の好ましい実施の形態においては、外部から入力した電力を上記複数のＬＥＤチップに適した電力に変換する電力変換部を備えており、上記電力変換部は、上記複数のＬＥＤチップに対して上記第２方向において上記複数のＬＥＤチップから光が発せられる側とは反対側に位置しており、かつ上記ブラケットに収容されている。
【００３０】
本発明の好ましい実施の形態においては、上記拡散カバーは、上記ブラケットに係合している。
【００３１】
本発明の好ましい実施の形態においては、上記拡散カバーの両端には、一対の係止片が形成されている。
【００３２】
本発明の好ましい実施の形態においては、上記ブラケットには、上記拡散カバーの上記一対の係止片と係合する一対の係合溝が形成されている。
【００３３】
本発明のその他の特徴および利点は、添付図面を参照して以下に行う詳細な説明によって、より明らかとなろう。
【図面の簡単な説明】
【００３４】
【図１】本発明の第１実施形態に基づくＬＥＤ照明装置を示す要部斜視図である。
【図２】図１のＩＩ−ＩＩ線に沿う断面図である。
【図３】図１に示すＬＥＤ照明装置のＬＥＤユニットを示す要部斜視図である。
【図４】図３のＩＶ−ＩＶ線に沿う断面図である。
【図５】図３に示すＬＥＤユニットに用いられるＬＥＤモジュールを示す断面図である。
【図６】図３に示すＬＥＤユニットの電力変換部のケースを示す要部斜視図である。
【図７】図３に示すＬＥＤユニットの組み立てにおけるカバー取り付けを示す断面図である。
【図８】図３に示すＬＥＤユニットのカバーが押された状態を示す要部断面図である。
【図９】図１に示すＬＥＤ照明装置のホルダを示す（ａ）は正面図、（ｂ）は側面図、（ｃ）は平面図である。
【図１０】図１に示すＬＥＤ照明装置の組み立てにおけるマウントへのＬＥＤユニットの取り付けを示す断面図である。
【図１１】図１に示すＬＥＤ照明装置におけるＬＥＤユニットの取り外しを示す断面図である。
【図１２】本発明の第２実施形態に基づくＬＥＤ照明装置を示す要部斜視図である。
【図１３】図１２のＸＩＩＩ−ＸＩＩＩ線に沿う断面図である。
【図１４】図１２に示すＬＥＤ照明装置のＬＥＤユニットを示す断面図である。
【図１５】図１２に示すＬＥＤ照明装置の組み立てにおけるマウントへのＬＥＤユニットの取り付けを示す要部正面図である。
【図１６】図１２に示すＬＥＤ照明装置の組み立てにおけるマウントへのＬＥＤユニットの取り付けを示す側面図である。
【図１７】図１２に示すＬＥＤ照明装置におけるＬＥＤユニットのホルダを示す（ａ）は正面図、（ｂ）は側面図である。
【図１８】本発明の第３実施形態に基づくＬＥＤ照明装置を示す要部斜視図である。
【図１９】図１８のＸＩＸ−ＸＩＸ線に沿う断面図である。
【図２０】本発明の第４実施形態に基づくＬＥＤ照明装置を示す断面図である。
【図２１】図２０に示すＬＥＤ照明装置の支持体を示す断面図である。
【図２２】図２１に示す支持体のベースプレートをそのまま壁面に取り付けた状態を示す断面図である。
【図２３】図２１に示す支持体のベースプレートを壁面に取り付けた状態を示す断面図である。
【図２４】図２３のＸＸＩＶ−ＸＸＩＶ線に沿う断面図である。
【図２５】図２２に示す支持体のベースプレートを別の調整部材を用いて壁面に取り付けた状態を示す断面図である。
【図２６】さらに別の調整部材を備えたベースプレートを示す断面図である。
【図２７】図２６に示すベースプレートの要部拡大図である。
【図２８】図２６に示すベースプレートの好ましい取り付け状態を示す断面図である。
【図２９】図２１に示す支持体に調整部材を組み込んだ状態を示す断面図である。
【図３０】本発明の第５実施形態に基づくＬＥＤ照明装置を示す要部斜視図である。
【図３１】図３０に示すＬＥＤ照明装置を示す平面図である。
【図３２】図３０のXXXII−XXXII線に沿う断面図である。
【図３３】図３０に示すＬＥＤ照明装置を天井に取り付けた状態を示す平面図である。
【図３４】図３３に示すＬＥＤ照明装置をｘ方向にずらした状態を示す平面図である。
【図３５】図３３に示すＬＥＤ照明装置をｙ方向にずらした状態を示す平面図である。
【図３６】ベースプレートにネジ穴を適用した変形例を示す平面図である。
【図３７】本発明の第６実施形態に基づくＬＥＤ照明装置を示す断面図である。
【図３８】図３７に示すＬＥＤ照明装置におけるホルダを示す斜視図である。
【図３９】図３７に示すＬＥＤ照明装置の要部側面図である。
【図４０】図３７に示すＬＥＤ照明装置の変形例を示す要部側面図である。
【図４１】図３７に示すＬＥＤ照明装置の別の変形例を示す要部側面図である。
【図４２】本発明の第７実施形態に基づくＬＥＤ照明装置を示す要部斜視図である。
【図４３】図４２のXLIII−XLIII線に沿う断面図である。
【図４４】図４２に示すＬＥＤ照明装置において、ＬＥＤユニットの取り付けを示す断面図である。
【図４５】図４２に示すＬＥＤ照明装置において、ＬＥＤユニットの取り付けを示す断面図である。
【図４６】図４２に示すＬＥＤ照明装置において、ＬＥＤユニットの取り外しを示す断面図である。
【図４７】本発明の第８実施形態に基づくＬＥＤ照明装置の要部を示す要部斜視図である。
【図４８】図４７に示すＬＥＤ照明装置のベースプレートを示す斜視図である。
【図４９】図４８のXLIX−XLIX線に沿う断面図である。
【図５０】図４７に示す遮光部の変形例を示す断面図である。
【図５１】図４７に示す遮光部の他の変形例を示す断面図である。
【図５２】図４７に示す遮光部のさらに他の変形例を示す要部斜視図である。
【図５３】本発明の第９実施形態に基づくＬＥＤ照明装置を示す要部斜視図である。
【図５４】図５３に示すカバーの拡大断面図である。
【図５５】図５４に示すカバーの変形例を示す断面図である。
【図５６】図５４に示すカバーの別の変形例を示す断面図である。
【図５７】図５４に示すカバーのさらに別の変形例を示す断面図である。
【図５８】図５４に示すカバーのさらに別の変形例を示す断面図である。
【図５９】本発明の第１０実施形態に基づくＬＥＤ照明装置の分解斜視図である。
【図６０】図５９に示すＬＥＤ照明装置のベースプレートを示す平面図である。
【図６１】図５９に示すベースプレートを壁面に取り付ける工程を示す要部断面図である。
【図６２】図５９に示すベースプレートを壁面に取り付ける工程を示す要部平面図である。
【図６３】図５９に示す指標部の変形例を示す要部斜視図である。
【図６４】図６１に示す指標部の変形例を示す要部平面図である。
【図６５】図６１に示す指標部の別の変形例を示す要部平面図である。
【図６６】図６１に示す指標部のさらに別の変形例を示す要部平面図である。
【図６７】本発明の第１１実施形態に基づくＬＥＤ照明装置の断面図である。
【図６８】図６７に示すＬＥＤユニットの要部斜視図である。
【図６９】図６８に示すＬＥＤユニットの断面図である。
【図７０】図６８に示すＬＥＤユニットの簡略な配線ブロック図である。
【図７１】本発明の第１２実施形態に基づくＬＥＤ照明装置の要部斜視図である。
【図７２】図７１に示したＬＥＤユニットの側面図である。
【図７３】図７２のＬＸＸＩＩＩ−ＬＸＸＩＩＩ線に沿う断面図である。
【図７４】本発明の第１３実施形態に基づくＬＥＤ照明装置の要部斜視図である。
【図７５】図７４に示すＬＥＤユニットの断面図である。
【図７６】本発明の第１４実施形態に基づくＬＥＤ照明装置の要部斜視図である。
【図７７】図７６に示すＬＥＤユニットの断面図である。
【図７８】本発明の第１５実施形態に基づくＬＥＤ照明装置の要部斜視図である。
【図７９】図７８に示すホルダの斜視図である。
【図８０】図７９に示すホルダの（ａ）は正面図、（ｂ）は側面図、（ｃ）は平面図である。
【図８１】本発明の第１６実施形態に基づくＬＥＤ照明装置を示す平面図である。
【図８２】図８１に示すＬＥＤ照明装置の逆方向から見た平面図である。
【図８３】図８２のLXXXIII-LXXXIII線に沿う断面図である。
【図８４】図８１の要部拡大図である。
【図８５】図８１の要部拡大図である。
【図８６】図８１に示す第１の支持体の（ａ）は平面図、（ｂ）は側面図、（ｃ）は底面図である。
【図８７】図８１に示すブラケットの（ａ）は左側面図、（ｂ）は平面図、（ｃ）は右側面図である。
【図８８】図８３に示すカバーの要部拡大図である。
【図８９】図８５に示すキャップの（ａ）は正面図、（ｂ）は側面図、（ｃ）は取り付け前の状態を示す正面図である。
【図９０】図８４に示すキャップの（ａ）は正面図、（ｂ）は側面図、（ｃ）は平面図、（ｄ）は取り付け前の状態を示す正面図である。
【図９１】図８１に示すキャップの（ａ）は正面図、（ｂ）は側面図、（ｃ）は平面図である。
【図９２】図８３に示すケースの（ａ）は要部側面図、（ｂ）は正面図、（ｃ）は要部平面図である。
【図９３】図９２に示すケースの展開図である。
【図９４】本発明の第１７実施形態に基づくＬＥＤ照明装置を示す要部拡大平面図である。
【図９５】本発明の第１８実施形態に基づくＬＥＤ照明装置を示す要部拡大平面図である。
【図９６】本発明の第１９実施形態に基づくＬＥＤ照明装置を示す要部拡大平面図である。
【図９７】本発明の第２０実施形態に基づくＬＥＤ照明装置の要部斜視図である。
【図９８】図９７に示したＬＥＤ照明装置の断面図である。
【図９９】図９７に示したＬＥＤ照明装置のウイング部の正面図である。
【図１００】図９７に示したＬＥＤ照明装置のウイング部の平面図である。
【図１０１】図９７に示したＬＥＤ照明装置のウイング部の側面図である。
【図１０２】図９７に示したＬＥＤ照明装置のウイング部の底面図である。
【図１０３】本発明の第２１実施形態に基づくＬＥＤ照明装置の要部平面図である。
【図１０４】図１０３のＣＩＶ−ＣＩＶ線に沿う要部断面図である。
【図１０５】図１０３のＣＶ−ＣＶ線に沿う断面図である。
【図１０６】図１０３のＣＶＩ−ＣＶＩ線に沿う断面図である。
【図１０７】本発明の第２１実施形態に基づくＬＥＤ照明装置の変形例を示す断面図である。
【図１０８】本発明の第２２実施形態に基づくＬＥＤ照明装置の要部平面図である。
【図１０９】本発明の第２３実施形態に基づくＬＥＤ照明装置の要部平面図である。
【図１１０】図１０９のＣＩＸ−ＣＩＸ線に沿う要部断面図である。
【図１１１】図１０９のＣＸ−ＣＸ線に沿う断面図である。
【図１１２】図１０９のＣＸＩ−ＣＸＩ線に沿う断面図である。
【図１１３】本発明の第２４実施形態に基づくＬＥＤ照明装置の要部平面図である。
【図１１４】従来のＬＥＤ照明装置の一例を示す断面図である。
【発明を実施するための形態】
【００３５】
以下、本発明の好ましい実施の形態につき、図面を参照して具体的に説明する。
【００３６】
図１および図２は、本発明の第１実施形態に基づくＬＥＤ照明装置を示している。本実施形態のＬＥＤ照明装置Ａ１は、マウント１およびＬＥＤユニット２によって構成されており、たとえば屋内の天井面に取り付けられた状態で、床面を照らす用途に用いられるものであり、長さが１２２７ｍｍ程度、幅が１２０ｍｍ程度、高さが３８ｍｍ程度とされている。
【００３７】
マウント１は、本体１０および複数のホルダ１１を備えている。本体１０は、ｘ方向に延びる細長状であり、たとえばアルミ製である。本体１０には、凹部１０ａが設けられている。凹部１０ａは、ＬＥＤユニット２を収容するためのものである。本体１０は、凹部１０ａを挟んで連続するような曲率とされた曲面を有している。
【００３８】
ホルダ１１は、たとえば金属製のプレートに対して折り曲げ加工を施すことによって形成されており、１対の係止片１１ａおよび１対の可撓部１１ｂを有している。図９に示すように、可撓部１１ｂは、係止片１１ａを支える格好となっている。１対の可撓部１１ｂは外力が与えられると、１対の係止片１１ａを互いに接近離間させる方向に弾性変形可能とされている。１対の係止片１１ａは、ＬＥＤユニット２に係合する部分であり、図９（ａ）において図中上方に向かうほど互いに距離が小となるように傾いている。本実施形態においては、複数のホルダ１１が凹部１０ａ内に設けられている。
【００３９】
図３および図４に示すように、ＬＥＤユニット２は、複数のＬＥＤモジュール２０、支持部材３、カバー４、および電力変換部５を備えている。ＬＥＤユニット２は、マウント１のｘ方向両端にいたる長さ（１２２０ｍｍ程度）とされている。
【００４０】
ＬＥＤモジュール２０は、図５に示すように１対のリード２１、ＬＥＤチップ２２、封止樹脂２３、およびリフレクタ２４を備えている。１対のリード２１は、たとえばＣｕ合金からなり、その一方にＬＥＤチップ２２が搭載されている。リード２１のうちＬＥＤチップ２２が搭載された面と反対側の面は、ＬＥＤモジュール２０を面実装するために用いられる実装端子２１ａとされている。ＬＥＤチップ２２は、ＬＥＤモジュール２０の光源であり、たとえば青色光を発光可能とされている。封止樹脂２３は、ＬＥＤチップ２２を保護するためのものである。封止樹脂２３は、ＬＥＤチップ２２からの光によって励起されることにより黄色光を発する蛍光物質を含む透光樹脂を用いて形成されている。これにより、ＬＥＤモジュール２０は、白色を照射することができる。上記蛍光物質としては、黄色光を発するものに代えて、赤色光を発するものと緑色光を発するものとを混合して用いてもよい。リフレクタ２４はたとえば白色樹脂からなり、ＬＥＤチップ２２から側方に発された光を上方に反射するためのものである。
【００４１】
図３および図４に示すように、支持部材３は、複数のＬＥＤモジュール２０を支持しつつ、これに電力を供給するためのものであり、基板３１およびブラケット３２からなる。
【００４２】
基板３１は、ｘ方向を長手方向、ｙ方向を幅方向とする帯状であり、たとえばガラスエポキシ樹脂からなる。本実施形態においては、基板３１には、２８８個のＬＥＤモジュール２０が搭載されている。
【００４３】
図４に示すように、ブラケット３２は、ベース部３２１および１対のアウター部３２２からなる。ベース部３２１およびアウター部３２２は、たとえばアルミ製である。ベース部３２１は、断面コの字状であり、その底面の外側に基板３１が取り付けられている。アウター部３２２は、ベース部３２１の略片側部分と、基板３１のｙ方向端縁とを覆う形状とされている。図３および図４に示すように、ベース部３２１とアウター部３２２とは、複数のネジ３３によって締結されている。
【００４４】
図４に示すように、各アウター部３２２には、係止溝３２３が形成されている。係止溝３２３は、ｘ方向に延びており、ｚ方向においてＬＥＤモジュール２０の出射方向とは反対側に窪んでいる。係止溝３２３は、ホルダ１１の係止片１１ａと係合する部分である。
【００４５】
また、一方のアウター部３２２には、係止溝３２４が形成されている。係止溝３２４は、ｘ方向に延びており、ｚ方向においてＬＥＤモジュール２０の出射方向とは反対側に窪んでいる。係止溝３２４は、係止面３２４ａを有している。係止面３２４ａは、ｘ方向に延びており、ｚ方向において出射方向反対側を向いている。他方のアウター部３２２には、係止溝３２５が形成されている。係止溝３２５は、係止面３２５ａおよび凸片３２５ｂを有している。係止面３２５ａは、ｘ方向に延びており、ｚ方向において出射方向反対側を向いている。凸片３２５ｂは、係止面３２５ａよりもｚ方向において出射方向反対側寄りに位置しており、出射方向に凸となっている。
【００４６】
カバー４は、図３に示すようにｘ方向に延びる断面円弧状の帯状であり、ＬＥＤモジュール２０からの光を拡散しつつ透過するたとえば乳白色の樹脂からなる。図４に示すように、カバー４の両端縁には、係止片４１，４２が形成されている。
【００４７】
係止片４１は、端部４１ａおよび段差部４１ｂを有している。端部４１ａは、ｚ方向において出射方向反対側に凸となっている。段差部４１ｂは、その前後において端部４１ａをｙ方向内側にシフトさせる形状とされている。係止片４１は、係止溝３２４と係合する。より具体的には、端部４１ａが係止溝３２４に入り込む格好となっている。段差部４１ｂは、係止面３２４ａと当接している。
【００４８】
係止片４２は、係止面４２ａおよび傾斜面４２ｂを有している。係止面４２ａは、ｚ方向において出射方向を向いている。傾斜面４２ｂは、係止面４２ａよりもｚ方向において出射方向反対側寄りに位置しており、支持部材３の凸片３２５ｂとｚ方向において正対している。傾斜面４２ｂは、ｚ方向において出射方向反対側に向かうほどｙ方向において内方に位置する傾斜とされている。係止片４２は、支持部材３の係止溝３２５と係合する。より具体的には、係止面４２ａが、支持部材３の係止面３２５ａと当接する格好となっている。
【００４９】
電力変換部５は、たとえば商用ＡＣ１００Ｖ電力をＤＣ３６Ｖに変換する機能を果たすものであり、支持部材３に収容されている。電力変換部５は、ケース５１、電源基板５２および複数の電子部品５３からなる。ケース５１は、断面コの字状であり、たとえば金属製である。図６に示すように、ケース５１の端部には、複数の切り欠き部５１ａが形成されている。切り欠き部５１ａは、図４に示すネジ３３のうちベース部３２１から内方に突出した部分と係合することにより、電力変換部５を固定するために用いられる。電源基板５２は、ケース５１に固定されており、複数の電子部品５３が実装されている。複数の電子部品５３は、たとえばトランスや整流器、さらには定電流制御のためのトランジスタなどである。電力変換部５からは、図３に示すように、コネクタ３４が延びている。このコネクタ３４は、マウント１に取り付けられたコネクタ（図示略）と接続される。
【００５０】
本実施形態においては、２つの電力変換部５が設けられており、１つの電力変換部５から１４４個のＬＥＤモジュール２０に対して給電される。これらの１４４個のＬＥＤモジュール２０は、互いに直列に接続された１２個が１組とされた１２のグループに分かれている。これらのグループどうしは、並列に接続されている。この結果、各ＬＥＤチップ２２には、電圧が３Ｖ程度、電流が２０ｍＡ程度の直流電力が供給される。
【００５１】
次に、ＬＥＤ照明装置Ａ１の作用について説明する。
【００５２】
本実施形態によれば、ＬＥＤ照明装置Ａ１は、天井面から顕著に突出しない、比較的なだらかな形状となっている。このため、屋内の美観を不当に乱すことなく見るものに対してスマートな印象を与える。また、複数のＬＥＤ照明装置Ａ１を互いに直列に配置した場合、隣り合うＬＥＤ照明装置Ａ１のＬＥＤユニット２どうしがごく近接した位置関係となる。このため、ＬＥＤ照明装置Ａ１どうしの間には過大な非発光領域は形成されない。したがって、より広い屋内の床面を照らす照明装置として、見栄えがよいという印象を見る者に与えることができる。
【００５３】
コの字状とされた支持部材３に電力変換部５を収容することにより、ＬＥＤ照明装置Ａ１の高さを比較的低くすることができる。
【００５４】
アウター部３２２によって基板３１を抑える格好となっている。これにより、ＬＥＤ照明装置Ａ１を天井に取り付けた状態で長期間使用した場合であっても、基板３１が不当に落下することを回避することができる。
【００５５】
図７は、ＬＥＤユニット２を組み立てる際に、カバー４を支持部材３に取り付ける様子を示している。本図によく表れているように、まず、カバー４の係止片４１を支持部材３の係止溝３２４に引っ掛ける。次いで、係止片４１を中心としてカバー４を回動させることにより、係止片４２を係止溝３２５に接近させる。そして、係止片４２を係止溝３２５に押し込むと、係止面３２５ａと係止面４２ａとが当接する状態となる。このように、カバー４を容易に取り付けることができる。
【００５６】
図１０は、ＬＥＤ照明装置Ａ１を組み立てる際に、ＬＥＤユニット２をマウント１に取り付ける様子を示している。本図によく表れているように、まず、たとえば天井に固定されたマウント１に対してＬＥＤユニット２を下方から接近させる。そして、ホルダ１１の１対の係止片１１ａの間にＬＥＤユニット２を押し込む。すると、可撓部１１ｂが若干撓むことにより、１対の係止片１１ａが互いにいったん離間する。しかる後に、図２に示すように、係止片１１ａが支持部材３の係止溝３２３と係合する。このように、ＬＥＤユニット２を容易に取り付けることができる。
【００５７】
ＬＥＤユニット２を押し込むときには、カバー４が強い力で押されやすい。このときには、図８に示すように、係止片４２が係止溝３２５のｚ方向奥方へと移動する。すると、傾斜面４２ｂと凸片３２５ｂとが当接することとなる。これにより、係止片４２には、ｙ方向内方へと向かわせられる力が付与される。これにより、カバー４が強く押されても、カバー４が支持部材３から不当に外れてしまうことを防止することができる。
【００５８】
図１１は、ＬＥＤユニット２をマウント１から取りはずす様子を示している。本図によく表れているように、まず、断面コの字状の取り外し冶具Ｄを用意する。そして、取り外し冶具Ｄの両側縁をホルダ１１の係止片１１ａに押し付ける。すると、可撓部１１ｂが弾性変形し、１対の係止片１１ａどうしが離間する。この結果、係止片１１ａと係止溝３２３との係合状態が解除される。このように、ＬＥＤ照明装置Ａ１は、マウント１からＬＥＤユニット２を容易に取り外すことができる。
【００５９】
図１２〜図９７は、本発明の他の実施形態を示している。なお、これらの図において、上記実施形態と同一または類似の要素には、上記実施形態と同一の符号を付している。
【００６０】
図１２および図１３は、本発明の第２実施形態に基づくＬＥＤ照明装置を示している。本実施形態のＬＥＤ照明装置Ａ２は、たとえば、店舗の天井の比較的隅寄りに取り付けられた状態で、壁面のうち商品棚から露出した上方部分を照らすために用いられるタイプである。ＬＥＤ照明装置Ａ２は、たとえば長さが１２９０ｍｍ程度、幅が７３ｍｍ程度、高さが５０ｍｍ程度とされている。
【００６１】
マウント１の本体１０は、断面楔状とされており、天井に取り付けられた状態で壁面側が開口するような形状とされている。ＬＥＤユニット２は、マウント１に収容されており、方向ｘ回りに回動可能とされている。
【００６２】
図１４に示すように、本実施形態においては、支持部材３のブラケット３２のアウター部３２２にリフレクタ３２２ａが設けられている。リフレクタ３２２ａは、ＬＥＤモジュール２０からｙ方向に発せられた光をｚ方向下方に反射するためのものである。リフレクタ３２２ａの端縁に、係止溝３２４、３２５がそれぞれ形成されており、カバー４が取り付けられている。
【００６３】
図１５に示すように、本実施形態のＬＥＤユニット２は、１対のシャフト３５を有している。１対のシャフト３５は、支持部材３のｘ方向両端に取り付けられている。シャフト３５は、根元部３５ａおよび先端部３５ｂからなる。根元部３５ａは、支持部材３に取り付けられる部分である。先端部３５ｂは、根元部３５ａに対して回動可能となっている。より具体的には、先端部３５ｂを回動させるときには、たとえばペンチなどの工具を用いることが必要とされる程度の抵抗力が発生する。
【００６４】
マウント１は、１対のホルダ１２を有している。１対のホルダ１２は、本体１０のｘ方向両端に取り付けられている。図１７に示すように、ホルダ１２には、嵌合部１２ａ、可撓部１２ｂ、および鉤状部１２ｃが形成されている。嵌合部１２ａは、小判状の孔であり、シャフト３５の先端部３５ｂと嵌合する。可撓部１２ｂは、嵌合部１２ａを保持する部分であり、外力が加えられると、嵌合部１２ａをｘ方向外方に移動させるように弾性変形する。鉤状部１２ｃは、嵌合部１２ａに対してｘ方向内方に位置しており、Ｊ字状とされている。
【００６５】
図１５および図１６に示すように、ＬＥＤユニット２をマウント１に取り付ける際は、ＬＥＤユニット２をマウント１に接近させ、シャフト３５の先端部３５ｂをホルダ１２の可撓部１２ｂに押し付ける。すると、１対のホルダ１２の嵌合部１２ａどうしが互いに離間するように可撓部１２ｂが変形する。さらに、ＬＥＤユニット２を押し込むと、先端部３５ｂが嵌合部１２ａに嵌合し、可撓部１２ｂが変形前の形状となる。これにより、ＬＥＤユニット２を押し込む動作のみによってマウント１に容易に取り付けることができる。また、取り付け作業において先端部３５ｂが嵌合部１２ａに適切に嵌合しない場合であっても、シャフト３５が鉤状部１２ｃに引っかかる格好となる。したがって、ＬＥＤユニット２の取り付け作業などにおいてＬＥＤユニット２を誤って落下させてしまうことを防止することができる。
【００６６】
ＬＥＤ照明装置Ａ２は、ＬＥＤユニット２をｘ方向回りに回動可能であるため、たとえば壁面のうち商品棚の上方にある部分を選択的に照らすことができる。リフレクタ３２２ａを備えていることにより、所望の箇所を高い照度で照らすのに適している。
【００６７】
図１８および図１９は、本発明の第３実施形態に基づくＬＥＤ照明装置を示している。本実施形態のＬＥＤ照明装置Ａ３は、主にマウント１の構成が上述したＬＥＤ照明装置Ａ１と異なっているが、それ以外の構成はＬＥＤ照明装置Ａ１と同様であり、適宜説明を省略する。
【００６８】
本実施形態においては、マウント１の本体１０が、ベースプレート１１０およびウイング部１２０によって構成されている。ベースプレート１１０は、ｘ方向を長手方向とし、ｙ方向を幅方向とする細長の板状に形成されており、取り付け面１１０ａ、複数の膨出部１１１を備えている。ベースプレート１１０のｙ方向における両端縁は、剛性を確保するために、ｚ方向下方に向けて折り曲げられている。取り付け面１１０ａは、ｚ方向に垂直な平坦な面であり、ｚ方向上側に設けられている。複数の膨出部１１１は、ｚ方向下方に突出するように形成された部分であり、ｘ方向に沿って互いに離間するように配列されている。各膨出部１１１は、ウイング部１２０に当接している。
【００６９】
ウイング部１２０は、底板部１２１、２つの壁部１２２、および２つの弓状部１２３を有しており、不透明なたとえば樹脂あるいはアルミからなる。底板部１２１は、ベースプレート１１０に対して平行である。２つの壁部１２２は、底板部１２１のｙ方向両端からｚ方向に起立している。底板部１２１および２つの壁部１２２は、ＬＥＤユニット２を収容するための凹部１０ａを構成している。２つの弓状部１２３は、２つの壁部１２２のｚ方向下端から延びており、凹部１０ａを挟んで配置されている。２の弓状部１２３は、その包絡線が弓状をなす形状とされている。ベースプレート１１０とウイング部１２０とは、たとえば図示しないネジによって互いに結合されている。
【００７０】
ＬＥＤユニット２は、図３および図４を参照して上述した通りの構成とされている。さらに詳述すると、図１９に示すように、ベース部３２１には、凹部３２１ａが形成されている。凹部３２１ａは、ｚ方向上方に凹んでおり、基板３１が嵌め込まれている。
【００７１】
カバー４は、図中下側部分が、ｙ方向を長軸方向、ｚ方向を短軸方向とする楕円の一部に相当する形状とされている。カバー４の係止片４１，４２とブラケット３２のアウター部３２２とが結合し合っている位置は、ＬＥＤモジュール２０よりも図中上側、すなわちＬＥＤモジュール２０から光が出射される側とは反対側に位置している。
【００７２】
本実施形態においては、ＬＥＤ照明装置Ａ３の全高ｈｔが４０．３ｍｍとされている。全高ｈｔは、４５ｍｍ未満であることが望ましい。ＬＥＤ照明装置Ａ３の全幅Ｗｔは、１２０ｍｍとされている。全高ｈｔと全幅Ｗｔとの比は、ｈｔ／Ｗｔ＝１／３となっている。この比ｈｔ／Ｗｔは、１／２未満であることが望ましい。
【００７３】
また、ＬＥＤ照明装置Ａ３のマウント１の上端からＬＥＤモジュール２０の下端までの高さｈ１は、３０ｍｍとされている。本実施形態のＬＥＤモジュール２０は、顕著に小型である。このため、ＬＥＤ照明装置Ａ３においては、ＬＥＤモジュール２０の下面は、ＬＥＤチップ２２の発光面とほぼ同一の位置にあるとみなすことができる。また、ＬＥＤモジュール２０の下面（ＬＥＤチップ２２の発光面）からＬＥＤユニット２下端までの高さｈ２は、１０．３ｍｍとされている。高さｈ１，ｈ２の比は、ｈ１／ｈ２＝２．９となっている。この比ｈ１／ｈ２は、２より大きく４未満であることが望ましい。
【００７４】
電力変換部５の高さｄ１は、１９．５ｍｍとされている。この高さｄ１と高さｈ１との比は、ｄ１／ｈ１＝０．６５となっている。この比ｄ１／ｈ１は、１／２より大きいことが望ましい。
【００７５】
また、ＬＥＤ照明装置Ａ３のマウント１の高さｈ３は、３０ｍｍとされている。これにより、高さｈ３は、全高ｈｔの約０．７５倍となっている。高さｈ３は、全高ｈｔの０．７倍以上であることが望ましい。
【００７６】
次に、ＬＥＤ照明装置Ａ３の作用について説明する。
【００７７】
マウント１の弓状部１２３は、その包絡線が弓状となっている。ＬＥＤユニット２のカバー４は、この包絡線に完全に一致しないものの、この包絡線に近く、よくなじんだ印象を与える形状および位置とされている。弓状部１２３の外表面からＬＥＤユニット２に向けて延ばした延長線とＬＥＤユニット２のカバー４との交差角α１は、４０度以下であることが望ましい。
【００７８】
このような実施形態によれば、全高ｈｔが４０．３ｍｍと非常に低いものであることにより、ＬＥＤ照明装置Ａ３が天井から突出する量を、従来のＬＥＤランプを用いた構成よりも顕著に小さくすることができる。これにより、天井を見る者が煩雑な印象を持つことを抑制するとともに、配光特性をより均一なものとすることができる。特に、天井に取り付けられて用いられること意図した場合、全高ｈｔが４５ｍｍ未満であれば、煩雑な印象を抑制し、配光特性を均一にするという効果が期待できる。
【００７９】
ＬＥＤ照明装置Ａ３の具体的な用途としては、蛍光ランプを用いた照明装置が取り付けられていた箇所に、この照明装置の代替として用いられることが想定される。この場合、蛍光ランプを用いた照明装置を取り外すと、天井にこの照明装置の取り付け跡が傷や変色部分として残ってしまうことが多い。本実施形態のＬＥＤ照明装置Ａ３は、比ｈｔ／Ｗｔが１／３と比較的小さい。これは、換言すると、全高ｈｔが低いことに対し、全幅Ｗｔが比較的広いことを意味する。このような構成により、それまで取り付けられていた照明装置の取り付け跡を隠すことができるという利点がある。煩雑な印象を抑制し、均一な配光特性を実現できることに加えて、このような利点を発揮するには、比ｈｔ／Ｗｔが、１／２未満であることが望ましい。
【００８０】
比ｈ１／ｈ２が２．９であることにより、電源変換部５を配置するための適切なスペースを確保しつつ、配光特性を良好なものとすることが可能である。比ｈ１／ｈ２が２以下であると、電源変換部５を配置するためのスペースが不足してしまう。一方、比ｈ１／ｈ２が４以上であると、配光特性が不均一となってしまいやすい。また、比ｈ１／ｈ２が２以下の場合に電源変換部５の配置スペースを確保しようとしたり、４以上である場合に配光特性を良好なものにしようとしたりすると、結果として、ＬＥＤ照明装置Ａ３の大型化を招来してしまう。
【００８１】
比ｄ１／ｈ１が０．６５であることは、比較的かさばる電源変換部５を備えるにも関わらず、ＬＥＤモジュール２０の下面（ＬＥＤチップ２２の発光面）までの高さが低く抑えられていることを意味する。この比ｄ１／ｈ１が１／２以下であると、結果的にＬＥＤ照明装置Ａ３の全高ｈｔが不当に高くなってしまう。
【００８２】
マウント１の高さｈ３が全高ｈｔの０．７５倍であることにより、ＬＥＤ照明装置Ａ３の相当部分がマウント１に覆われている印象を与える。さらに、本実施形態においては交差角α１が４０度以下とされている。これらにより、ＬＥＤ照明装置Ａ３は、非常に段差が小さく、段差が目立たないものとなっており、なめらかできれいであるという印象を与えることができる。
【００８３】
カバー４が、楕円の一部に相当する形状とされた部分を有することにより、全高ｈｔおよび高さｈ２を縮小することができる。カバー４がＬＥＤモジュール２０よりも天井側の位置においてブラケット３２に取り付けられていることは、カバー４の突出量を抑えるのに適しており、全高ｈｔおよび高さｈ２を縮小するのに好ましい。また、凹部３２１ａに基板３１がはめ込まれていることにより、高さｈ１を縮小することができる。
【００８４】
ＬＥＤモジュール２０の天井側において電源変換部５をブラケット３２に収容する構成とすることにより、ＬＥＤユニット２を細長状のコンパクトな断面形状とすることが可能である。これは、ＬＥＤユニット２を支持するマウント１の形状を比較的自由に決定できるという利点がある。
【００８５】
図２０は、本発明の第４実施形態に基づくＬＥＤ照明装置を示している。本実施形態のＬＥＤ照明装置Ａ４は、本発明で言う調整部材を備える点が、上述した実施形態と異なっており、それ以外の構成は上述したＬＥＤ照明装置Ａ３と同様であり、適宜説明を省略する。
【００８６】
マウント１は、ＬＥＤユニット２を保持する支持体であり、本体１０および複数のホルダ１１を備えている。本体１０は、ベースプレート（第１の部材）１１０，ウイング部（第２の部材）１２０に加えて、図２１に示すようにネジ１３１、ネジ１３２、および、ワッシャ１４１を備えている。ネジ１３１は、ベースプレート１１０とウイング部１２０とを連結しており、本発明でいう連結手段の一例である。ネジ１３２は、ベースプレート１１０を壁面Ｗに取り付けるのに用いられるものであり、本発明でいう取り付け手段の一例である。壁面Ｗは、たとえば天井面であり、全体としてｚ方向に垂直となるように形成されている。ワッシャ１４１は、ベースプレート１１０を壁面Ｗに取り付ける際に必要に応じて設置されるものであり、本発明でいう調整部材の一例である。
【００８７】
ベースプレート１１０は、ｘ方向を長手方向とし、ｙ方向を幅方向とする細長の板状に形成されており、取り付け面１１０ａ、複数の膨出部１１１および複数の（天井取り付け用）ネジ穴１１２を備えている。ベースプレート１１０のｙ方向における両端縁は、剛性を確保するために、ｚ方向下方に向けて折り曲げられている。取り付け面１１０ａは、ｚ方向に垂直な平坦な面であり、ｚ方向上側に設けられている。複数の膨出部１１１は、ｚ方向下方に突出するように形成された部分であり、ｘ方向に沿って互いに離間するように配列されている。各膨出部１１１にはｚ方向に貫通する（ウイング連結用）ネジ穴１１１ａが形成されている。ネジ穴１１１ａの内部には、ネジ（連結手段）１３１に対応する雌ネジが形成されている。ベースプレート１１０がｘ方向に長尺であることを考慮し、膨出部１１１は、ベースプレート１１０のｘ方向における両端付近および中央付近にそれぞれ配置される。
【００８８】
ネジ穴１１２は、ベースプレート１１０のｘ方向両端付近にそれぞれ形成されている。これらのネジ穴１１２は、ベースプレート１１０をｚ方向に貫通しており、ネジ１３２のヘッド以外の部分を挿通させるように形成されている。なお、本実施形態では、各ネジ穴１１２は、ｘ方向両端付近の２つのネジ穴１１１ａよりもｘ方向において中央寄りの位置に形成されているが、ネジ穴１１２およびネジ穴１１１ａの位置関係は逆であっても構わない。
【００８９】
図２３および図２４には、壁面Ｗに取り付けられたベースプレート１１０を示している。壁面Ｗは、図中左方がｚ方向に大きく凹んだ形状となっている。図２３に示すように、ベースプレート１１０の左端付近に取り付けられたネジ１３２には、ワッシャ１４１が取り付けられている。図２４によく示されているように、ワッシャ１４１は、取り付け面１１０ａと壁面Ｗとの間に挟まれている。
【００９０】
図２２には、比較のために、ワッシャ１４１を用いずに、ベースプレート１１０を壁面Ｗに取り付けた場合の様子を示している。図２２によると、ベースプレート１１０のｘ方向における左端付近が壁面Ｗの左方の凹みに嵌り、ベースプレート１１０が傾斜した状態となっている。
【００９１】
なお、図２２および図２３では、図中の左端に、ｘ方向に隣接して設置される別のＬＥＤ照明装置Ａ４のベースプレート１１０’の右端部分を表示している。ベースプレート１１０’は、傾斜することなく壁面Ｗに取り付けられている。
【００９２】
ウイング部１２０の底板部１２１には、ｚ方向に貫通する複数のネジ通し穴１２１ａが形成されている。各ネジ通し穴１２１ａは、ｚ方向視において、ベースプレート１１０の各ネジ穴１１１ａと重なる位置に形成されている。膨出部１１１と底板部１２１とを当接させ、各ネジ通し穴１２１ａおよび各ネジ穴１１１ａに各ネジ１３１をねじ込むことにより、ベースプレート１１０とウイング部１２０とは連結される。
【００９３】
次に、ＬＥＤ照明装置Ａ４を壁面Ｗに取り付ける工程について説明する。
【００９４】
ＬＥＤ照明装置Ａ４を壁面Ｗに取り付ける際には、予め、ベースプレート１１０、ウイング部１２０、および、ＬＥＤユニット２を分離しておく。そして、まず、ベースプレート１１０を壁面Ｗに取り付ける工程を行う。次に、ウイング部１２０をベースプレート１１０に連結する工程を行う。その後に、ウイング部１２０の凹部１０ａにＬＥＤユニット２を取り付ける工程を行う。
【００９５】
ベースプレート１１０を壁面Ｗに取り付ける工程では、まず、ワッシャ１４１を取り付け面１１０ａと壁面Ｗとの間に挟まずにベースプレート１１０を壁面Ｗに押し当て、傾斜した状態になるかどうかを検査する。この検査は、たとえば、目視でベースプレート１１０’と比較することにより行うことができる。
【００９６】
上記の検査において、ベースプレート１１０が傾斜していないと判断した場合には、ワッシャ１４１を挟まずに、２つのネジ１３２を用いてベースプレート１１０を壁面Ｗに固定する。一方、上記の検査において、ベースプレート１１０が傾斜していると判断した場合には、取り付け面１１０ａと壁面Ｗとの間にワッシャ１４１を挟み、再度上述の検査を行う。ワッシャ１４１は、ｘ方向左端付近のネジ穴１１２に重なるように設置される。なお、図２３の壁面Ｗとは逆にｘ方向右側が凹んでいる場合には、ｘ方向右端付近のネジ穴１１２に重なるようにワッシャ１４１は設置される。このようなワッシャ１４１を挟む作業と検査とを繰り返すことにより、ベースプレート１１０の傾斜を修正することが出来る。その後に、ネジ１３２を用いてベースプレート１１０を壁面Ｗに固定する。
【００９７】
ベースプレート１１０にウイング部１２０を連結する工程は、ネジ１３１をネジ通し穴１２１ａに通してからネジ穴１１１ａにねじ込むことにより行われる。
【００９８】
凹部１０ａにＬＥＤユニット２を取り付ける工程は、ホルダ１１の１対の係止片１１ａの間にＬＥＤユニット２を押し込むことで行われる。このようにすると、可撓部１１ｂが若干撓むことにより、１対の係止片１１ａが互いにいったん離間する。その後、図２０に示すように、係止片１１ａが支持部材３の係止溝３２３と係合することにより、ＬＥＤユニット２は凹部１０ａ内でｙ，ｚ方向に移動不可能に固定される。
【００９９】
次に、ＬＥＤ照明装置Ａ４の作用について説明する。
【０１００】
本実施形態によると、上述したよう壁面Ｗにベースプレート１１０を取り付ける際に、ワッシャ１４１を用いて、ベースプレート１１０のｚ方向における位置を調整することが可能である。このため、図２３に示すように、凹みがある壁面Ｗに対してもベースプレート１１０を傾斜しないように取り付けることが可能である。さらに、ワッシャ１４１の数を調整することにより、凹みが大きい場合や小さい場合にも対応可能である。
【０１０１】
本実施形態によると、ベースプレート１１０とウイング部１２０とは、ｘ方向の両端付近および中央付近の少なくとも３箇所において、ネジ１３１により連結されており、連結後に相互に移動することがない。さらに、ＬＥＤユニット２は、ｙ，ｚ方向に移動不可能なように凹部１０ａに固定される。このため、ベースプレート１１０が壁面Ｗに傾斜しないように取り付けられていれば、その下に取り付けられるウイング部１２０およびＬＥＤユニット２も傾斜することなく水平に保たれる。したがって、本実施形態のＬＥＤ照明装置Ａ４は、天井に凹みがある場合でも、見栄えよく設置可能である。また、複数個のＬＥＤ照明装置Ａ４を並べて設置する場合にも、一部のＬＥＤ照明装置Ａ４が傾斜する事態を防ぐことができ、美観を保つことができる。
【０１０２】
ＬＥＤ照明装置Ａ４では、図２５に示すように、ワッシャ１４１の代わりに、調整部材としてバネ１４２を用いることができる。バネ１４２は、ｚ方向に伸縮可能であり、本発明でいう弾性部材の一例である。このバネ１４２は、ｚ方向における上端が壁面Ｗの凹んだ部分に接し、かつ、ｚ方向における下端が取り付け面１１０ａに接するように配置されている。バネ１４２は、自然状態よりも縮んだ状態で壁面Ｗと取り付け面１１０ａとの間に挟まれ、両者を適度に引き離すように機能する。このようなバネ１４２は、たとえば、ワッシャ１４１を多数つける必要がある程度に壁面Ｗが凹んでいる場合に利用するのが好ましい。
【０１０３】
なお、図２５では、バネ１４２の脱落を防ぐうえでより好ましいため、バネ１４２がネジ１３２を囲むように配置されているが、他の位置に設置しても構わない。バネ１４２は壁面Ｗと取り付け面１１０ａとの間で突っ張るため、ネジ１３２に引っ掛けていなくても、壁面Ｗと取り付け面１１０ａとの間から脱落しにくくなっている。このため、バネ１４２は、比較的自由に設置可能であり、壁面Ｗの凹凸が複雑な場合の調整作業において有効である。
【０１０４】
図２６〜図２８では、ＬＥＤ照明装置Ａ４で利用可能な別の調整部材について説明する。図２６および図２８には、ｘ方向左側が膨らむような形状の壁面Ｗ’にベースプレート１１０を取り付ける様子を示している。図２６〜図２８に示すベースプレート１１０は、調整部材として、積層体１４３を備えている。
【０１０５】
図２６および図２７に示すように、積層体１４３は、上から順に剥すことが可能なように取り付け面１１０ａに積層された複数のシール１４４によって構成されている。シール１４４は、本発明でいう膜状部材の一例である。積層体１４３は、たとえば、ｘ方向における両端付近および中央付近に設置されている。
【０１０６】
図２６には、シール１４４を全く剥がしていない状態でベースプレート１１０を壁面Ｗ’に押し当てた状態を示している。
【０１０７】
図２８には、調整作業を行った後に壁面Ｗ’に取り付けられたベースプレート１１０を示している。積層体１４３における調整作業は、ワッシャ１４１を加える替わりにシール１４４を剥がすことによって行われる。図２８によると、ベースプレート１１０のｘ方向左端付近にあった積層体１４３のシール１４４は全て剥がされており、中央付近にあった積層体１４３のシール１４４は一部剥がされている。
【０１０８】
上記の実施形態では、ベースプレート１１０と壁面Ｗ，Ｗ’との間にワッシャ１４１、バネ１４２、および積層体１４３のいずれかを設置しているが、ベースプレート１１０とウイング部１２０をとの間にワッシャ１４１、バネ１４２、および積層体１４３のいずれかを設置した場合でも本発明の効果を得ることができる。たとえば、図２９には、表面に凹凸があり、傾斜している壁面Ｗ’’に取り付けられたベースプレート１１０、および、間にワッシャ１４１を挟んでベースプレート１１０に連結されたウイング部１２０を示している。図２９では、ベースプレート１１０は、壁面Ｗ’’の傾斜に沿って図中右方ほど上にいくように傾斜したままで取り付けられている。しかし、ｘ方向右端の膨出部１１１と底板部１２１との間にはワッシャ１４１が挟まれており、その結果、ウイング部１２０は傾斜することなくベースプレート１１０に連結されている。
【０１０９】
なお、図２９ではワッシャ１４１を用いているが、バネ１４２または積層体１４３を用いてもよい。積層体１４３を用いる場合、積層体１４３は膨出部１１１に設置される。
【０１１０】
図３０〜図３２は、本発明の第５実施形態に基づくＬＥＤ照明装置を示している。本実施形態のＬＥＤ照明装置Ａ５は、マウント１の構成が上述した実施形態と異なっている。本実施形態においては、マウント１は、２つのベース金具１５０および２つのホルダ１１からなる。なお、図３１においては、理解の便宜上、ネジ１３２を省略している。また、本実施形態におけるマウント１についての構成は、上述したＬＥＤ照明装置Ａ１，Ａ３に対しても適用可能である。
【０１１１】
ホルダ１１は、ＬＥＤ照明装置Ａ１，Ａ３，Ａ４に用いられたものと同様である。ホルダ１１の係止片１１ａは、ＬＥＤユニット２の係止溝３２３に係合している。係止溝３２３は、ｘ方向に延びておりＬＥＤユニット２のほぼ全長にわたって形成されている。このため、ＬＥＤユニット２は、ホルダ１１に対してｘ方向にスライド可能となっている。
【０１１２】
各ベース金具１５０は、天井などの壁面Ｗに直接取り付けられるものであり、隆起部１５０ａと２つの延出部１５０ｂとを有している。ベース金具１５０は、たとえば金属板に対して穴あけ加工および折り曲げ加工を施すことにより形成される。隆起部１５０ａは、段差によって壁面Ｗから離間した部分であり、ホルダ１１が取り付けられている。
【０１１３】
２つの延出部１５０ｂは、隆起部１５０ａを挟んでｙ方向に延出している。各延出部１５０ｂには、ネジ穴１１２が形成されている。ネジ穴１１２は、ネジ１３２を挿通させるためのものであり、長孔状部１１２ａおよび凹部１１２ｂを有している。本実施形態においては、長孔状部１１２ａは、ｙ方向を長軸方向としている。後述する本発明が意図する効果を奏するには、長孔状部１１２ａの長軸方向は、ｚ方向に対して直角であり、かつｘ方向と異なる方向であればよい。凹部１１２ｂは、長孔状部１１２ａの中央からｘ方向に凹んだ部分である。
【０１１４】
本実施形態においては、各ベース金具１５０には、ＬＥＤユニット２を挟むようにして２つのネジ穴１１２が設けられている。また、図３１に示すように、２つのベース金具１５０およびホルダ１１が、ｘ方向に離間して配置されている。
【０１１５】
次に、ＬＥＤ照明装置Ａ５の位置の微調整について、図３３〜図３５を参照しつつ、以下に説明する。
【０１１６】
まず、図３３は、２つのベース金具１５０をネジ１３２によって固定した状態を示している。このとき、各ネジ１３２は、凹部１１２ｂ内に位置している。この状態で、隣接するＬＥＤ照明装置Ａ５（図示略）とのｙ方向位置をチェックする。
【０１１７】
隣接するＬＥＤ照明装置Ａ５に対してｙ方向位置がずれていることが判明した場合、ネジ１３２を緩め、図３４に示すようにＬＥＤ照明装置Ａ５をｘ方向左方にずらす。これにより、各ネジ１３２は、凹部１１２ｂ内から長孔状部１１２ａ内へと移動することとなる。この状態においては、ＬＥＤ照明装置Ａ５は、長孔状部１１２ａの長さからネジ１３２の直径を除いた分だけｙ方向に移動させることが可能である。
【０１１８】
次いで、図３５に示すように、ＬＥＤ照明装置Ａ５をｙ方向にずらす。本図は、ＬＥＤ照明装置Ａ５の位置が紙面上方にずれていたため、ＬＥＤ照明装置Ａ５を紙面下方に移動させる動作を示している。ＬＥＤ照明装置Ａ５のｙ方向位置が隣接するＬＥＤ照明装置Ａ５と一致したことを確認したら、ネジ１３２を締結する。以上より、ＬＥＤ照明装置Ａ５の位置調整が完了する。
【０１１９】
次に、ＬＥＤ照明装置Ａ５の作用について説明する。
【０１２０】
本実施形態によれば、ＬＥＤ照明装置Ａ５を取り付けた後に、たとえば隣接するＬＥＤ照明装置Ａ５とのｙ方向のずれを容易に解消することができる。この調整作業を行うには、ＬＥＤユニット２を取り外す必要が無い。１つのベース金具１５０について、２つのネジ穴１１２がＬＥＤユニット２を挟んでｙ方向に離間配置されていることにより、壁面Ｗに対してベース金具１５０、ひいてはＬＥＤユニット２を安定して固定することができる。
【０１２１】
さらに、２つの別体とされたベース金具１５０が、ｘ方向に離間配置されている。これにより、２つのベース金具１５０を、たとえばネジ穴１１２とネジ１３２の隙間分や、ホルダ１１とＬＥＤユニット２のガタ分程度の範囲内で、互いに別々に動かすことができる。これにより、たとえば一方のベース金具１５０を締結しているネジ１３２を緩めてこのベース金具１５０の位置を微調整する作業が、固定されたままの他方のベース金具１５０によって阻害されるおそれが少ない。これは、ＬＥＤ照明装置Ａ５の位置調整作業を容易に行うのに好適である。
【０１２２】
ＬＥＤユニット２がホルダ１１に対してｘ方向にスライド可能であることにより、ＬＥＤユニット２のｘ方向の位置調整は非常に容易に行うことができる。すなわち、ネジ穴１１２を利用したｙ方向の位置調整に加えて、上記スライドを利用したｘ方向の位置調整を行うことにより、たとえば互いに直列に配置された複数のＬＥＤ照明装置Ａ５のＬＥＤユニット２どうしのｘ方向およびｙ方向の位置を適切に調整することができる。
【０１２３】
上述した位置調整に先立って、ＬＥＤ照明装置Ａ５を壁面Ｗに取り付けるときには、ネジ１３２を凹部１１２ｂ内に位置させる。これにより、取り付け作業において、ネジ１３２に対してベース金具１５０がｙ方向に不当にずれてしまうことを防止することができる。凹部１１２ｂと長孔状部１１２ａとは繋がっているため、図３４に示した要領によってネジ１３２を長孔状部１１２ａ内に位置させることにより、ｙ方向の位置調整作業を迅速に開始することができる。
【０１２４】
図３６は、長孔状部１１２ａと凹部１１２ｂを有するネジ穴１１２を適用した変形例を示している。本図に示されたベースプレート１１０は、図２０に示されたＬＥＤ照明装置Ａ４に用いられたベースプレートと同様の構成である。本変形例のベースプレート１１０には、３つのネジ穴１１２がｘ方向において互いに離間配置されている。このような変形例によっても、ＬＥＤ照明装置Ａ５の位置調整を適切に行うことができる。
【０１２５】
図３７〜図３９は、本発明の第６実施形態に基づくＬＥＤ照明装置を示している。本実施形態のＬＥＤ照明装置Ａ６は、主にホルダ１１の形状および設置位置が上述したＬＥＤ照明装置Ａ３と異なっているが、それ以外の構成はＬＥＤ照明装置Ａ３と同様であり、適宜説明を省略する。なお、図３９では、簡略化のためにベースプレート１１０およびウイング部１２０を省略している。また、本実施形態におけるホルダ１１についての構成は、上述したＬＥＤ照明装置Ａ１，Ａ５に対しても適用可能である。
【０１２６】
ＬＥＤ照明装置Ａ６におけるホルダ１１は、図３８に示すように、１対の係止片１１ａそれぞれに切り欠き部１１ｃが形成されており、それ以外の構成は図９に示すホルダ１１と同様となっている。各切り欠き部１１ｃは、ネジ３３のヘッド部と嵌合するように形成されている。ただし、切り欠き部１１ｃのｘ方向における長さは、ネジ３３のヘッド部の直径よりもわずかに大きくなるように形成されている。
【０１２７】
図４および図６を参照して記述したように、ネジ３３は、ブラケット３２のベース部３２１とアウター部３２２とを結合させている。また、ネジ３３が電力変換部５のケース１の切り欠き部５１ａに嵌まり込むことにより、電力変換部５をブラケット３２に対して固定している。
【０１２８】
図３９に示すように、ホルダ１１の切り欠き部１１ｃにネジ３３のヘッド部が嵌まり込んでいる。本実施形態においては、１つのホルダ１１に対して２つのネジ３３が嵌合している。これにより、ホルダ１１のｘ方向における中央部の位置は、ＬＥＤユニット２が適切に設置された場合のネジ３３のｘ方向位置と一致している。
【０１２９】
また、ブラケット３２には、複数のネジ３３が取り付けられている。これらのネジ３３は、２つずつが一組としてｘ方向において同じ位置にｙ方向両側に配置されており、複数組のネジ３３がｘ方向に離間配置されている。これらのネジ３３の配置に対応するように、ＬＥＤ照明装置Ａ６には、複数のホルダ１１が設けられている。
【０１３０】
次に、ＬＥＤ照明装置Ａ６の作用について説明する。
【０１３１】
本実施形態によれば、ネジ３３のヘッド部が１対の切り欠き部１１ｃに嵌合することにより、ＬＥＤユニット２は、ｘ方向に移動不可能なようにウイング部１２０に固定される。このため、たとえばＬＥＤ照明装置Ａ６を天井に取り付ける際などに支持体１が傾いた場合でも、ＬＥＤユニット２がｘ方向に沿って滑るおそれがない。従って、ＬＥＤ照明装置Ａ６を天井に取り付ける際および取り付けた後に、ＬＥＤユニット２の脱落を防止することができる。
【０１３２】
なお、上記実施形態では、複数のネジ３３と複数のホルダ１１との個数および配置が互いに対応しているが、１つのホルダ１１の一方の切り欠き部１１ｃが１つのネジ３３と嵌合していれば本発明の効果を得ることが可能である。この場合、ｘ方向においてネジ３３と重ならない位置に設置されるホルダ１１は図９に示すホルダ１１を用いても構わない。
【０１３３】
図４０には、ＬＥＤ照明装置Ａ６の変形例を示している。なお、図４０では、簡略化のためにベースプレート１１０およびウイング部１２０を省略している。図４０に示すＬＥＤ照明装置Ａ６では、ｘ方向において１つのホルダ１１を左右から挟むように２つネジ３３が配置されている。ホルダ１１は図９に示すものと同様となっている。
【０１３４】
このようなＬＥＤ照明装置Ａ６においても、２つのネジ３３によってホルダ１１が挟まれているため、ＬＥＤユニット２のｘ方向における移動が不可能となっている。このため、このようなＬＥＤ照明装置Ａ６も、天井に取り付ける際および取り付けた後に、ＬＥＤユニット２の脱落を防止できる。
【０１３５】
図４１には、ＬＥＤ照明装置Ａ６の別の変形例を示している。なお、図４１では、簡略化のためにベースプレート１１０およびウイング部１２０を省略している。図４１に示すＬＥＤ照明装置Ａ６では、１対のホルダ１１が、ＬＥＤユニット２のｘ方向における両端付近をそれぞれ支持している。本実施形態におけるホルダ１１は図９に示すものと同様である。
【０１３６】
図４１によると、ｘ方向における左方のホルダ１１の左端に隣接するようにネジ３３が設けられている。さらに、ｘ方向における右方のホルダ１１の右端に隣接するようにネジ３３が設けられている。
【０１３７】
このようなＬＥＤ照明装置Ａ６においても、１対のホルダ１１がｘ方向の左右に配された２つのネジ３３によってｘ方向において挟まれており、ＬＥＤユニット２がｘ方向に移動しないようになっている。このため、ＬＥＤ照明装置Ａ６を天井に取り付ける際および取り付けた後に、ＬＥＤユニット２が脱落しにくくなっている。
【０１３８】
図４２および図４３は、本発明の第７実施形態に基づくＬＥＤ照明装置を示している。本実施形態のＬＥＤ照明装置Ａ７は、主にマウント１の構成、特にＬＥＤユニット２を固定するための構造が上述したＬＥＤ照明装置Ａ３と異なっているが、それ以外の構成はＬＥＤ照明装置Ａ３と同様であり、適宜説明を省略する。なお、本実施形態におけるＬＥＤユニット２を固定するための構成は、上述したＬＥＤ照明装置Ａ１，Ａ５に対しても適用可能である。
【０１３９】
本実施形態においては、凹部１０ａのｙ方向における一方側に弾性部材であるホルダ１３が配置されており、他方側には規制部材１２５が形成されている。規制部材１２５は、壁部１２２からｙ方向に突出する板状であり、壁部１２２に対して直角である。この規制部材１２５は、たとえばウイング部１２０のｘ方向における略全長に渡って設置される。
【０１４０】
ホルダ１３は、たとえば金属製のプレートに対して折り曲げ加工を施すことによって形成されており、係止片１３ａ、可撓部１３ｂ、および、固定部１３ｃを有している。図４３に示すように、係止片１３ａは、ｚ方向において底板部１２１から遠ざかるほど、ｙ方向においてＬＥＤユニット２から遠ざかるように傾斜している。可撓部１３ｂは、ｚ方向において底板部１２１から遠ざかるほど、ｙ方向においてＬＥＤユニット２に近づくように傾斜している。可撓部１３ｂは、一方の端で係止片１３ａを支え、他方の端が固定部１３ｃに繋がる格好となっており、弾性的に湾曲変形可能に形成されている。固定部１３ｃは、底板部１２１に重なるように設けられた板状部材であり、ネジ１３１を介してウイング部１２０に固定されている。なお、このホルダ１３は、ｘ方向に沿って複数並ぶように設置される。
【０１４１】
ＬＥＤユニット２のアウター部３２２には、ｙ方向に突出する凸部３２３Ａが形成されている。凸部３２３Ａには、（固定用）係止溝３２３が形成されている。ｙ方向の右方側のアウター部３２２と左方側のアウター部３２２とは、同じ部品を逆向きに配置したものであり、左右で線対称となっている。図４３に示すように、図中右側の凸部３２３Ａは、規制部材１２５と係合している。さらに、図中左側の凸部３２３Ａに設けられた係止溝３２３に係止片１３ａが係合している。
【０１４２】
ＬＥＤユニット２をウイング部１２０に固定させる際には、まず、図４４に示すように、凹部１０ａにＬＥＤユニット２を嵌め込む。このとき、支持部材３がホルダ１３の係止片１３ａをｙ方向外方に押しやろうとする。この力によって、可撓部１３ｂが弾性変形する。ＬＥＤユニット２を凹部１０ａの奥方に押し込むと、図４５に示す状態となる。このとき、ホルダ１３の係止片１３ａは、係止溝３２３に嵌まり込む。その後、ホルダ１３が元の形状に戻ろうと変形すると、ＬＥＤユニット２は、規制部材１２５に接触するまでｙ方向右方に移動する。この際、凸部３２３Ａが規制部材１２５に係止される。
【０１４３】
図４６は、ＬＥＤユニット２をウイング部１２０から取りはずす様子を示している。本図によく表れているように、まず、断面コの字状の取り外し冶具Ｄを用意する。そして、取り外し冶具Ｄの左側縁をホルダ１３の係止片１３ａに押し付ける。すると、可撓部１３ｂが弾性変形し、係止片１３ａが図中左方に退避する。この結果、係止片１３ａと係止溝３２３との係合状態が解除される。さらに、ＬＥＤユニット２をｙ方向左方に移動させることにより、規制部材１２５と凸部３２３Ａとの係合状態も解除される。このように、ＬＥＤ照明装置Ａ７は、ウイング部１２０からＬＥＤユニット２を容易に取り外すことができる。
【０１４４】
次に、ＬＥＤ照明装置Ａ７の作用について説明する。
【０１４５】
本実施形態によれば、凹部１０ａ内において、ＬＥＤユニット２は、ホルダ１３の弾性力により規制部材１２５に対して常に押し付けられている。このため、ＬＥＤユニット２のｙ方向位置は、規制部材１２５によって決定される。したがって、ＬＥＤユニット２のｙ方向位置を正確に設定することができる。さらに、本実施形態によると、凸部３２３Ａが規制部材１２５に係止されるため、凹部１０ａ内におけるＬＥＤユニット２のｚ方向の位置も、規制部材１２５によって決定される。以上により、たとえば天井に多数のＬＥＤ照明装置Ａ７を設ける場合、ＬＥＤユニット２どうしのｙ方向位置およびｚ方向位置がばらけることを防止可能であり、その見栄えを改善することができる。
【０１４６】
図４７は、本発明の第８実施形態に基づくＬＥＤ照明装置を示している。図４７に示すＬＥＤ照明装置Ａ８は、主にベースプレート１１０の構造が上述したＬＥＤ照明装置Ａ３と異なっているが、それ以外の構成はＬＥＤ照明装置Ａ３と同様であり、適宜説明を省略する。なお、本実施形態におけるベースプレート１１０についての構成は、上述したＬＥＤ照明装置Ａ１，Ａ５に対しても適用可能である。
【０１４７】
本実施形態においては、ベースプレート１１０は、ｘ方向に延びる細長状の長板部１１３、長板部１１３のｙ方向両端からｚ方向下方に延びる板状部材１１４，１１５、および、２つの板状部材１１４ｂを備えている。図４８によく示されているように、ベースプレート１１０には、ｘ方向に離間する２つの切り欠き部１１４ａが形成されている。各切り欠き部１１４ａは、ｘ方向に所定長を有し、板状部材１１４のｚ方向全長に及び、かつ、長板部１１３をｙ方向に所定長を削るように形成されている。１対の板状部材１１４ｂは、各切り欠き部１１４ａのｙ方向端部からｚ方向下方に向けて突出しており、ｘ方向視において互いに重なるように形成されている。
【０１４８】
長板部１１３の端部、板状部材１１４、および、１対の板状部材１１４ｂは、図４９に示すように、ｘ方向視（ｙｚ平面）において空洞部分１１６ａを囲む１対の遮光部１１６を形成している。ベースプレート１１０には、互いにｘ方向において離間しており、特にベースプレート１１０の両端よりに配置された２つの空洞部分１１６ａおよび２つの遮光部１１６が設けられている。
【０１４９】
図４８においては、既に天井に設置された図中右寄りのベースプレート１１０’に合わせて、図中左寄りのベースプレート１１０を設置する様子を示している。ベースプレート１１０’は、その長手方向がｘ方向に沿うように適正に配置されている。ベースプレート１１０を天井に設置する際には、ｘ方向に沿って進行するレーザ光Ｌｘを用いてベースプレート１１０のｙ方向における位置の検査を行う。レーザ光Ｌｘは、ｙ方向において、ベースプレート１１０’の各板状部材１１４ｂと板状部材１１４との間を通るように設定される。
【０１５０】
ベースプレート１１０のｙ方向における位置が、ベースプレート１１０’のｙ方向における位置と一致する適正な位置にある場合、レーザ光Ｌｘは、ベースプレート１１０の各板状部材１１４ｂと板状部材１１４との間、すなわち空洞部分１１６ａを通過する。逆に、レーザ光Ｌｘが、ベースプレート１１０の一方または双方の板状部材１１４ｂと板状部材１１４との間を通過しなかった場合、レーザ光Ｌｘは、遮光部１１６によって遮られる。これにより、ベースプレート１１０のｙ方向における位置が適正な位置からずれていると判断可能である。
【０１５１】
次に、ＬＥＤ照明装置Ａ８の作用について以下に説明する。
【０１５２】
このような実施形態によれば、レーザ光Ｌｘが双方の空洞部分１１６ａを通過するようにベースプレート１１０のｙ方向位置を調整することにより、ベースプレート１１０のｙ方向における位置を適正なものとすることができる。このような調整は、たとえば、ベースプレート１１０をｙ方向に動かし、レーザ光Ｌｘが双方の板状部材１１４ｂと板状部材１１４との間を通過するかを目視によって確認することによって行われる。このような調整によると、適正な位置となる前後でレーザ光Ｌｘが遮光部１１６によって遮断されるため、ベースプレート１１０の適正な位置を比較的容易に見つけることができる。このため、ＬＥＤ照明装置Ａ８を天井に複数設置する場合、ベースプレート１１０のｙ方向における位置を比較的容易に揃えることができる。したがって、ベースプレート１１０の下に取り付けられるウイング部１２０およびＬＥＤユニット２の位置も揃った状態となり、天井に取り付けられる複数のＬＥＤ照明装置Ａ８の見栄えがよくなる。
【０１５３】
図５０〜図５２には、それぞれ、遮光部１１６の変形例を示している。
【０１５４】
図５０に示すベースプレート１１０には、板状部材１１４ｂの下端にｙ方向左方に突出する板状部材１１４ｃが設けられている。長板部１１３の図中左端部、板状部材１１４、板状部材１１４ｂ、および、板状部材１１４ｃは、ｘ方向視（ｙｚ平面）において空洞部分１１６ａを囲む遮光部１１６を形成している。
【０１５５】
このような変形例によると、上記のｙ方向における位置調整に加えて、ｚ方向における位置調整を同様の手法により行うことが可能である。
【０１５６】
図５１に示すベースプレート１１０には、長板部１１３から下方に突出し、ｘ方向視において空洞部分１１６ａを囲む略環状となるように形成された遮光部１１６が設けられている。このような遮光部１１６も、図４９に示す遮光部１１６と同様の効果を有している。
【０１５７】
図５２に示すベースプレート１１０には、空洞部分１１６ａに相当する孔部１１６ｂを有する遮光部１１６が設けられている。遮光部１１６は、ベースプレート１１０のｘ方向における一端に設けられている。これとは別に、もう１つの遮光部１１６が、ｘ方向の他端に設けられている（図示略）。これらの遮光部１１６は、互いのｙ方向位置が一致している。遮光部１１６は、たとえば長板部１１３からｘ方向に突出する板片を折り曲げることにより比較的容易に形成される。
【０１５８】
図５２に示す遮光部１１６は、ベースプレート１１０のｘ方向における両端に設けられているため、図５０および図５１に示した遮光部１１６よりもさらに正確にベースプレート１１０のｙ，ｚ方向における位置の調整を行うことができる。また、比較的容易に形成することができる。
【０１５９】
図５３は、本発明の第９実施形態に基づくＬＥＤ照明装置を示している。本実施形態のＬＥＤ照明装置Ａ９は、主にカバー４の構造が上述したＬＥＤ照明装置Ａ７と異なっているが、それ以外の構成はＬＥＤ照明装置Ａ７と同様であり、適宜説明を省略する。なお、本実施形態および変形例におけるカバー４についての構成は、上述したＬＥＤ照明装置Ａ１，Ａ３，Ａ５に対しても適用可能である。
【０１６０】
図５４には、ＬＥＤ照明装置Ａ９のカバー４の拡大断面図を示している。本図に示すカバー４は、中央部４３がその周囲よりも厚くなるように形成されているが、その他の構成はＬＥＤ照明装置Ａ１〜Ａ８におけるカバー４と同様となっている。ＬＥＤ照明装置Ａ１におけるカバー４の説明にあるように、カバー４は、ＬＥＤモジュール２０からの光を拡散しつつ透過するたとえば乳白色の樹脂からなる拡散カバーである。中央部４３は、ＬＥＤチップ２２のｚ方向真下を中心とし、ｙ方向に一定幅を有する領域である。中央部４３のｙ方向における幅は、ＬＥＤモジュール２０のｙ方向における幅よりも長くなるように形成されている。中央部４３は、本発明で言う強拡散部の一例に相当する。
【０１６１】
このようなカバー４では、厚く形成された部分ほど光をより拡散し、光透過率が低下する。このため、中央部４３における光透過率はその他の領域よりも小さな値となっている。たとえば、中央部４３における光透過率は７５％程度であり、その他の領域における光透過率は８５％程度である。
【０１６２】
カバー４は、中央部４３においてＬＥＤモジュール２０との距離が最も小さく、中央部４３からｙ方向に離間するほどＬＥＤモジュール２０との距離が大きくなるように形成されている。このため、中央部４３に到達するＬＥＤモジュール２０からの光の強さは、他の領域に到達するＬＥＤモジュール２０からの光の強さよりも大きくなる。
【０１６３】
ＬＥＤ照明装置Ａ９によれば、比較的強い光が到達する中央部４３において光透過率を小さくすることにより、中央部４３から出射される光とその他の領域から出射される光とが、同程度の強さとなる。このため、ＬＥＤ照明装置Ａ９の点灯時に、カバー４から出射される光のムラを抑えることが可能となっており、個々のＬＥＤモジュール２０が点々と配置されている様が視認されることを防止することができる。したがって、ＬＥＤ照明装置Ａ９の点灯時における見栄えをよりよくすることができる。
【０１６４】
図５５には、カバー４の変形例を示している。図５５に示すカバー４では、中央部４３が平板状に形成されている。このようなカバー４を用いても、カバー４から出射される光のムラを抑えることが可能となっている。
【０１６５】
図５６には、カバー４の他の変形例を示している。図５６に示すカバー４は、ｙ方向において端部から中央に向かうほど徐々に厚みが増すように形成されている。このようなカバー４は、ＬＥＤモジュール２０との距離が近い部分ほど厚くなっている。これにより、ＬＥＤ照明装置Ａ９の点灯時に、カバー４から出射される光のムラをより抑えることが可能となっている。従って、ＬＥＤ照明装置Ａ９の点灯時における見栄えをよりよくすることができる。
【０１６６】
図５７には、カバー４のさらに他の変形例を示している。図５７に示すカバー４は、厚みが一定であり、中央部４３が、その他の領域よりも光透過率が低い乳白色樹脂で形成されている。カバー４の中央部４３以外の領域における光透過率は８５％程度であり、中央部４３における光透過率は７５％程度となっている。このようなカバー４を用いても、図５４〜図５６に示したカバー４と同様に、カバー４から出射される光のムラを抑えることが可能である。
【０１６７】
図５８には、カバー４のさらに他の変形例を示している。図５８に示すカバー４は、厚みが一定であり、中央部４３に重なるように拡散部材４４が設けられている。カバー４の拡散部材４４が設けられていない部分での光透過率は８５％程度である。拡散部材４４は、たとえばカバー４と同じ乳白色樹脂からなり、拡散部材４４が重ねられた中央部４３での光透過率が７５％程度となるように形成されている。このような拡散部材４４を備えたカバー４を用いても、カバー４から出射される光のムラを抑えることが可能である。さらに、カバー４とは別に拡散部材４４を用意する場合、カバー４自体の製造が容易となる利点がある。
【０１６８】
図５９および図６０は、本発明の第１０実施形態に基づくＬＥＤ照明装置を示している。図５９に示すように、本実施形態のＬＥＤ照明装置Ａ１０は、水平な壁面Ｗに取り付けられるベースプレート１１０、ベースプレート１１０に取り付けられるウイング部１２０、および、ウイング部１２０に取り付けられるＬＥＤユニット２によって構成されている。ＬＥＤ照明装置Ａ１０は、主にベースプレート１１０の構造が上述したＬＥＤ照明装置Ａ７と異なっているが、それ以外の構成はＬＥＤ照明装置Ａ７と同様であり、適宜説明を省略する。なお、本実施形態におけるベースプレート１１０についての構成は、上述したＬＥＤ照明装置Ａ１，Ａ３，Ａ５に対しても適用可能である。図６１および図６２には、ｘ方向に沿って並ぶ２つのＬＥＤ照明装置Ａ１０のベースプレート１１０を壁面Ｗに取り付ける際の様子を示している。なお、壁面Ｗは、たとえば天井面である。
【０１６９】
本実施形態のベースプレート１１０は、ｘ方向における両端に形成された指標部１１０ｂ，１１０ｃと、ｘ方向に沿って配列された複数のネジ穴１１２ｃとを備えている。指標部１１０ｂ，１１０ｃおよび複数のネジ穴１１２ｃは、いずれもベースプレート１１０のｙ方向における中央を通る中央線Ｃｙに沿うように形成されている。指標部１１０ｂ，１１０ｃは、ｘ方向に沿ってベースプレート１１０の端部から遠ざかるにつれてｙ方向における長さが短くなる楔形に形成された切り欠きである。指標部１１０ｂ，１１０ｃは、中央線Ｃｙに対して線対称な形状であり、楔形の先端がベースプレート１１０のｙ方向における中央に位置している。
【０１７０】
ネジ穴１１２ｃは、ネジ１３２を通すために設けられており、ｚ方向視において中央線Ｃｙを挟んで線対称な形状となっている。さらに、図６２によく示されているように、ネジ穴１１２ｃは、指標部１１２ｄと一体的に形成されている。指標部１１２ｄは、中央線Ｃｙに対して線対称な形状であり、指標部１１０ｂ，１１０ｃと同様に楔形とされている。
【０１７１】
以下、２つのＬＥＤ照明装置Ａ１０のベースプレート１１０の壁面Ｗへの取り付け工程について説明を行う。なお、２つのベースプレート１１０は順次壁面Ｗに取り付けても、同時に取り付けても構わない。
【０１７２】
まず、壁面Ｗに、ｘ方向に沿って延びる直線指標Ｌｗを形成する工程を行う。直線指標Ｌｗは、たとえば油性または水性ペンなどで壁面Ｗに直線を描画することにより形成可能である。
【０１７３】
次に、図６１に示すように、ネジ１３２を用いてベースプレート１１０を壁面Ｗに取り付ける工程を行う。この工程では、まず、図６２に示すように、指標部１１０ｂ，１１０ｃおよび１１２ｄから直線指標Ｌｗが見えるようにベースプレート１１０を壁面Ｗに押し当てる。次に、指標部１１０ｂ，１１０ｃおよび１１２ｄの角部分が直線指標Ｌｗと重なるように、ベースプレート１１０のｙ方向における位置を調整する。その後に、図６１に示すように、ネジ１３２をネジ穴１１２ｃに通して壁面Ｗにねじ込むことにより、ベースプレート１１０は壁面Ｗに取り付けられる。
【０１７４】
このようなＬＥＤ照明装置Ａ１０は、上述したように指標部１１０ｂ，１１０ｃおよび１１２ｄと直線指標Ｌｗとの位置を合わせることにより、中央線Ｃｙが直線指標Ｌｗと一致するようにベースプレート１１０の配置を調整可能である。このため、図６１および図６２に示すように複数のベースプレート１１０を取り付ける際に、各ベースプレート１１０の向きを揃えることができる。したがって、複数のＬＥＤ照明装置Ａ１０を壁面Ｗに設置した際に、複数のＬＥＤ照明装置Ａ１０の向きが揃った状態となり、より見栄えがよくなる。
【０１７５】
図６３には指標部１１０ｃの別の実施例を示している。なお、指標部１１０ｃに限らず、指標部１１０ｂ，１１２ｄにおいても同様の形状を取り得る。
【０１７６】
図６３に示す指標部１１０ｃは、ｚ方向において取り付け面１１０ａから遠ざかるにつれて、ｚ方向視の形状がより大きな楔形となるように形成されている。このような指標部１１０ｃの形状は、ＬＥＤ照明装置Ａ１０を天井に取り付ける際に、作業者が斜め下方からでも指標部１１０ｃと直線指標Ｌｗとの重なりを確認しやすいように配慮したものである。
【０１７７】
図６４〜図６６では指標部１１０ｂ，１１０ｃのさらに別の実施例を示している。図６４に示す指標部１１０ｂ，１１０ｃはベースプレート１１０の両端からｘ方向に突出する凸部として形成されている。図６５に示す指標部１１０ｂ，１１０ｃはベースプレート１１０の両端に描画されたものであり、直線状の形状をしている。図６６に示す指標部１１０ｂ，１１０ｃはベースプレート１１０の両端に描画されたものであり、三角形の形状をしている。
【０１７８】
図６７は、本発明の第１１実施形態に基づくＬＥＤ照明装置を示している。本実施形態のＬＥＤ照明装置Ａ１１は、主にＬＥＤユニット２の構成が上述したＬＥＤ照明装置Ａ７と異なっているが、それ以外の構成はＬＥＤ照明装置Ａ７と同様であり、適宜説明を省略する。なお、本実施形態におけるＬＥＤユニット２についての構成は、上述したＬＥＤ照明装置Ａ１，Ａ３，Ａ５に対しても適用可能である。図６８にはＬＥＤ照明装置Ａ１１のＬＥＤユニット２の要部斜視図を示しており、図６９には図６８に示された要部断面をより詳細に示す断面図である。図６８および図６９に示すＬＥＤユニット２は、図４に示すＬＥＤユニット２の構成に加えて、照度確認用ＬＥＤチップ２０ａ、報知用ＬＥＤチップ２０ｂ、および、検知手段５４を備えている。図６８では、電子部品５３を省略している。さらに図７０には、電源基板５２および基板３１に設置される配線の一例を簡略化したブロック図で示している。図７０によると、電源基板５２は、既に挙げた照度確認用ＬＥＤチップ２０ａおよび検知手段５４に加え、交流電源Ｅからの交流電圧を直流電圧に変換するトランスＴ、スイッチＳ１，Ｓ２、電圧検知手段５５、抵抗器５６ａ，５６ｂ、および、調整用抵抗５７を備えている。なお、トランスＴ、スイッチＳ１，Ｓ２、電圧検知手段５５、抵抗器５６ａ，５６ｂ、および、調整用抵抗５７は、図６９の電子部品５３に含まれている。図６８および図６９に示すＬＥＤユニット２のそれ以外の構成は図４に示すＬＥＤユニット２と同様であり、適宜説明を省略する。
【０１７９】
図６９に示すように、照度確認用ＬＥＤチップ２０ａは、電源基板５２のｚ方向におけるＬＥＤモジュール２０の主出射方向反対側に搭載されている。好ましくは、照度確認用ＬＥＤチップ２０ａは、電源基板５２のｘ方向における中央に設置される。照度確認用ＬＥＤチップ２０ａは、ＬＥＤチップ２２と同じ型のものであり、図７０に示すように複数のＬＥＤチップ２２の各列と並列に設置されている。
【０１８０】
検知手段５４は、たとえば受光した光に応じて電圧を生じるフォトダイオードまたはフォトトランジスタなどの光電変換素子からなる。この検知手段５４は、電源基板５２のｚ方向におけるＬＥＤモジュール２０の主出射方向反対側に搭載されており、照度確認用ＬＥＤチップ２０ａに対してｘ方向において同位置に、ｙ方向には離間するように配置されている。検知手段５４は、照度確認用ＬＥＤチップ２０ａからの光を受光し、その照度に応じた電圧を電圧検知手段５５へ出力する。
【０１８１】
図６９に示すように、ｚ方向上方に底部を有する断面コの字状のケース５１は、ｚ方向下方に底部を有する断面コの字状のブラケット３２が形成する収容空間３２ａに、嵌め込まれている。このため、ｙｚ平面においてケース５１の内部は外部から遮断された状態となっている。
【０１８２】
報知用ＬＥＤチップ２０ｂは、基板３１に搭載されており、たとえば赤色光を出射する。報知用ＬＥＤチップ２０ｂの位置は、基板３１上のどこであっても構わない。報知用ＬＥＤチップ２０ｂは、スイッチＳ１，Ｓ２がＯＮのときに、電源基板５２から電力の供給を受けて点灯する。また、報知用ＬＥＤチップ２０ｂに大きな電圧がかからないように、報知用ＬＥＤチップ２０ｂと直列に抵抗器５６ｂが設置されている。この抵抗器５６ｂは、たとえば、ＬＥＤチップ２２を１１個直列に接続したものと同じ抵抗を有するように形成されている。
【０１８３】
スイッチＳ１は、複数のＬＥＤモジュール２０のＯＮ／ＯＦＦを切り替えるためのスイッチであり、外部からＯＮ／ＯＦＦの切り替え可能なものである。図７０によると、スイッチＳ１をＯＮとすると、照度確認用ＬＥＤチップ２０ａも同時に点灯する。
【０１８４】
抵抗器５６ａは、照度確認用ＬＥＤチップ２０ａと直列に設置されている。ＬＥＤ照明装置Ａ１において説明したように、ＬＥＤチップ２２は、互いに直列に接続された１２個が１組とされている。抵抗器５６ａは、照度確認用ＬＥＤチップ２０ａにかかる電圧を１つのＬＥＤチップ２２にかかる電圧と同程度にするために設けられており、たとえばＬＥＤチップ２２を１１個直列に接続したものと同じ抵抗を有するように形成されている。なお、この抵抗器５６ａとして発熱抵抗を用いる場合、駆動時の発熱が照度確認用ＬＥＤチップ２０ａに影響を与えにくいように、照度確認用ＬＥＤチップ２０ａから物理的に離れた位置に設置するのが望ましい。
【０１８５】
調整用抵抗５７は、照度確認用ＬＥＤチップ２０ａおよび抵抗器５６ａと直列に設置されている。この調整用抵抗５７は、照度確認用ＬＥＤチップ２０ａにかかる電圧をさらに調整するために設けられている。照度確認用ＬＥＤチップ２０ａを保持する電源基板５２および基板３１はいずれもガラスエポキシ樹脂で形成されているが、基板３１は、アルミ製のベース部３２１に保持されており、電源基板５２よりも放熱機能において優れている。このため、照度確認用ＬＥＤチップ２０ａに各ＬＥＤチップ２２と同じ電圧をかけた場合であっても、放熱性の違いにより、照度確認用ＬＥＤチップ２０ａの方が、各ＬＥＤチップ２２よりも高温となってしまう。これにより、両者の特性が変化する度合いに差が生じる。したがって、照度確認用ＬＥＤチップ２０ａの変化速度をＬＥＤチップ２２の変化速度と同程度とするには、照度確認用ＬＥＤチップ２０ａにかかる電圧を下げる調整が必要となる。以上の点を考慮して、調整用抵抗５７の抵抗値は、照度確認用ＬＥＤチップ２０ａの変化速度がＬＥＤチップ２２の変化速度と同程度となるように調整されている。
【０１８６】
電圧検知手段５５は、検知手段５４から出力されてくる電圧が予め定められた電圧値を下回ると、スイッチＳ２をＯＮにするように機能する。スイッチＳ１がＯＮであり、かつスイッチＳ２がＯＮとなると、報知用ＬＥＤチップ２０ｂに電力が供給される。上記の予め定められた電圧値は、たとえば、使用開始直後の照度確認用ＬＥＤチップ２０ａの照度に応じて検知手段５４が出力する電圧値のα％の値に定められる（α＜１００）。
【０１８７】
このようなＬＥＤ照明装置Ａ１１では、上述したように、ケース５１の内部は外部から遮断された状態となっている。このため、検知手段５４は、外部からの光およびＬＥＤモジュール２０からの光の影響を受けない。したがって、検知手段５４は照度確認用ＬＥＤチップ２０ａからの光のみを検知し、より正確に、照度確認用ＬＥＤチップ２０ａの照度に応じた電圧を電圧検知手段５５に出力可能となっている。
【０１８８】
ＬＥＤチップ２２の変化と同程度の速度で、照度確認用ＬＥＤチップ２０ａも変化する。照度確認用ＬＥＤチップ２０ａの変化が進行すると、徐々に検知手段５４が受ける光量が低下し、電圧検知手段５５が検知する電圧が低下する。そして、電圧検知手段５５が検知する電圧が初期の電圧のα％以下になると、スイッチＳ２がＯＮとなり、ＬＥＤ照明装置Ａ１１を点灯させた際に報知用ＬＥＤチップ２０ｂが同時に点灯するようになる。
【０１８９】
このように、ＬＥＤユニット２の交換が必要な程度にＬＥＤチップ２２の特性が変化すると、報知用ＬＥＤチップ２０ｂが点灯する。これにより、使用者はＬＥＤユニット２の交換が必要になったことを容易に知ることができる。したがって、ＬＥＤ照明装置Ａ１１では、適切な時期にＬＥＤユニット２を交換可能となっており、常時見栄えのよい照明を提供することができる。
【０１９０】
さらに、本実施形態では、ＬＥＤモジュール２０が白色光を出射するのに対して、報知用ＬＥＤチップ２０ｂは赤色光を出射する。このため、報知用ＬＥＤチップ２０ｂが点灯した場合、赤色の光が見えて目立つため、使用者が交換の時期が来たことに気づきやすい。なお、報知用ＬＥＤチップ２０ｂの色は赤色に限らず、他の色でも構わない。
【０１９１】
上記のＬＥＤ照明装置Ａ１１では、調整用抵抗５７を設けることで、照度確認用ＬＥＤチップ２０ａの変化速度をＬＥＤチップ２２の変化速度に合わせているが、調整用抵抗５７を設置しない場合も実施可能である。この場合でも、照度確認用ＬＥＤチップ２０ａはＬＥＤチップ２２と同時に点灯するため、照度確認用ＬＥＤチップ２０ａの変化速度は、ＬＥＤチップ２２の変化速度に比例する。このため、照度確認用ＬＥＤチップ２０ａの変化の度合いを検知手段５４で知ることにより、ＬＥＤチップ２２の変化の度合いを推測することが可能である。したがって、たとえばαの値を上述の値よりも引き下げる調整を行うことにより、交換が必要な程度にＬＥＤチップ２２が変化したときに報知用ＬＥＤチップ２０ｂを点灯させることが可能である。
【０１９２】
また、ＬＥＤ照明装置Ａ１１では、抵抗器５６ａを設けることで照度確認用ＬＥＤチップ２０ａにかかる電圧を各ＬＥＤチップ２２にかかる電圧に合わせているが、たとえば抵抗器５６ａを設けずに照度確認用ＬＥＤチップ２０ａを１２個直列に接続しても構わない。
【０１９３】
図７１は、本発明の第１２実施形態に基づくＬＥＤ照明装置を示している。本実施形態のＬＥＤ照明装置Ａ１２は、主にＬＥＤユニット２の構成が上述したＬＥＤユニットＡ３と異なっているが、それ以外の構成はＬＥＤ照明装置Ａ３と同様であり、適宜説明を省略する。なお、本実施形態におけるＬＥＤユニット２の構成は、上述したＬＥＤ照明装置Ａ１，Ａ５に対しても適用可能である。図７２には、ｘ方向に沿って配列された複数のＬＥＤユニット２の側面図を示している。図７２および図７３に示すＬＥＤユニット２は、図３に示すＬＥＤユニット２におけるコネクタ３４およびそれに連結された配線のかわりに、１対のコネクタ３４ａ，３４ｂおよび１対のコネクタ３４ａ，３４ｂと電源基板５２とを繋ぐ電線群３６を備えている。図７２および図７３に示すＬＥＤユニット２のそれ以外の構成は、図３に示すＬＥＤユニット２と同様であり、適宜説明を省略する。
【０１９４】
電線群３６は、ｘ方向に沿って延びる主電線３６１と、連結線３６２とを備えている。主電線３６１は電源基板５２に電力を供給する電力線３６１ａと、たとえば電源基板５２に点灯および消灯や明るさの調整を指示する信号を伝達する信号線３６１ｂと、からなる樹脂製のケーブルである。なお、主電線３６１は、電力を供給することのみに用いられるものであってもよい。図７３に示すように、主電線３６１は、ケース５１の下端右隅に配置されている。主電線３６１のｘ方向における両端は、ケース５１のｘ方向両端から外側に突出している。連結線３６２は、図７３において、その下端部が主電線３６１に接続されており、たとえば電力線３６１ａおよび信号線３６１ｂのそれぞれから延出された電線を内蔵する樹脂製のケーブルである。連結線３６２の図中上端部はコネクタ３４ｃを介して電源基板５２に接続されている。
【０１９５】
コネクタ３４ａは、たとえば樹脂により、中央に凹部を有する直方体状に形成されている。コネクタ３４ａに設けられた凹部の内側には、それぞれ電力線３６１ａおよび信号線３６１ｂに接続された電極が設けられている。コネクタ３４ａは、図７２によると、主電線３６１のｘ方向左端に連結されている。一方、コネクタ３４ｂは、たとえば樹脂製であり、コネクタ３４ａの凹部に嵌合する凸部を有するように形成されており、主電線３６１のｘ方向右端に連結されている。コネクタ３４ｂに設けられた凸部には、電力線３６１ａおよび信号線３６１ｂに接続された電極が設けられている。さらに、図７２によると、コネクタ３４ａには、隣接するＬＥＤユニット２の主電線３６１の右端に連結されたコネクタ３４ｂが嵌合している。
【０１９６】
ＬＥＤユニット２をｘ方向に並べずに単体で用いる場合には、コネクタ３４ａ，３４ｂが、たとえば天井に内蔵された電力供給源に接続される。複数のＬＥＤユニット２をｘ方向に並べて用いる場合には、ｘ方向における両端に位置するＬＥＤユニット２のコネクタ３４ａ，３４ｂのうち他のＬＥＤユニット２との接続に用いられていない方が、それぞれ電力供給源に接続される。
【０１９７】
蛍光灯や従来のＬＥＤ照明装置Ｘでは、予め天井等に設置された一般用蛍光灯照明器具に取り付けられて用いられるため、電線が外部に露出することはなかった。一方、ＬＥＤ照明装置Ａ１２では、ＬＥＤユニット２への電源供給を電線群３６によって行っている。本実施形態とは異なり、電線群３６が外部に露出していると、ＬＥＤ照明装置Ａ１２全体の外観を損なってしまう。本実施形態においては、電線群３６をケース５１およびベース部３２１に囲まれた空間内に収容している。このため、電線群３６のうち、外部から見えるのはコネクタ３４ａ，３４ｂとの接続部分に限定されている。従って、ＬＥＤ照明装置Ａ１２では、電線群３６の外部への露出が最小限に抑えられており、より見栄えのよい外観を得ることが可能となっている。
【０１９８】
さらに本実施形態によると、電線群３６は、その大部分がＬＥＤユニット２に収容されているため、ＬＥＤユニット２をマウント１に取り付けたり、または、マウント１からＬＥＤユニット２を取り外したりする際に作業の妨げとなりにくくなっている。このため、ＬＥＤ照明装置Ａ１２では、ＬＥＤユニット２の交換を容易にかつ速やかに行うことが可能となっている。
【０１９９】
さらに、複数のＬＥＤ照明装置Ａ１２をｘ方向に並べて設置する場合、図７２に示すようにコネクタ３４ａとコネクタ３４ｂとを接合させることにより、新たな電線を設けることなく、隣り合うＬＥＤユニット２同士を容易に電気的に接続させることができる。
【０２００】
さらに本実施形態によると、主電線３６１は、ケース５１内の電源基板５２および電子部品５３から比較的離れた位置に設置されている。このため、主電線３６１を流れる電流と電源基板５２および電子部品５３との干渉を抑えることができる。
【０２０１】
図７４は、本発明の第１３実施形態に基づくＬＥＤ照明装置を示している。本実施形態のＬＥＤ照明装置Ａ１３は、主に電線群３６の配置及び保持手段が上述したＬＥＤ照明装置Ａ１２と異なっているが、それ以外の構成はＬＥＤ照明装置Ａ１２と同様であり、適宜説明を省略する。なお、本実施形態におけるＬＥＤユニット２の構成は、上述したＬＥＤ照明装置Ａ１，Ａ３，Ａ５に対しても適用可能である。図７５には、ＬＥＤ照明装置Ａ１３のＬＥＤユニット２の断面図を示している。図７４および図７５に示すＬＥＤユニット２は、ケース５１に設けられた保持具５１ｂによって電線群３６を保持し、ベース部３２１の一部が変形しているが、それ以外の構成は図７１〜図７３に示すＬＥＤユニット２と同様であり、適宜説明を省略する。
【０２０２】
保持具５１ｂは、ケース５１の図７５中上部外側に形成されており、ケース５１の上部との間に主電線３６１を挟んで固定する金具である。本実施形態では、複数の保持具５１ｂが、ｘ方向に沿って配列されている。本実施形態におけるベース部３２１は、そのｚ方向における上端部が、保持具５１ｂの上端部よりもｚ方向上方となるように形成されている。連結線３６２は、ケース５１の上部を貫通し、電源基板５２の図中上側にコネクタ３４ｃを介して接続されている。
【０２０３】
このようなＬＥＤ照明装置Ａ１３においても、ＬＥＤ照明装置Ａ１２と同様に、電線群３６は、外部から見えにくくなっており、より見栄えのよい外観を実現可能となっている。さらに、本実施形態では、主電線３６１がケース５１の外側に配置されているため、主電線３６１を流れる電流と電源基板５２および電子部品５３との干渉を防ぐことができる。
【０２０４】
図７６は、本発明の第１４実施形態に基づくＬＥＤ照明装置を示している。本実施形態のＬＥＤ照明装置Ａ１４は、ブラケット３２の構成および電線群３６の配置が上述したＬＥＤ照明装置Ａ１２と異なっているが、それ以外の構成はＬＥＤ照明装置Ａ１２と同様であり、適宜説明を省略する。なお、本実施形態におけるブラケット３２の構成は、上述したＬＥＤ照明装置Ａ１，Ａ３，Ａ５に対しても適用可能である。図７７には、ＬＥＤ照明装置Ａ１４のＬＥＤユニット２の断面図を示している。図７６および図７７に示すＬＥＤユニット２は、ベース部３２１とアウター部３２２が一体となっており、ブラケット３２に設けられた凹部３２ｂに主電線３６１が収容されている。それ以外の構成は図７１〜図７３に示すＬＥＤユニット２と同様であり、適宜説明を省略する。
【０２０５】
図７７におけるブラケット３２は、図７３におけるベース部３２１およびアウター部３２２が一体となった形状をしている。ただし、図７３に示すアウター部３２２の端縁はｚ方向視において基板３１の側縁に重なるように形成されているが、図７７におけるブラケット３２は、その部分を削った形状となっている。凹部３２ｂは、ブラケット３２の図７７中右側の側部に、ｙ方向に凹むように形成されている。図７７における連結線３６２は、ケース５１の図７７中右側部を貫通し、電源基板５２の下側にコネクタ３４ｃを介して接続されている。
【０２０６】
このようなＬＥＤ照明装置Ａ１４においても、ＬＥＤ照明装置Ａ１２と同様に、電線群３６は、外部から見えにくくなっており、より見栄えのよい外観を実現可能となっている。さらに、本実施形態では、主電線３６１がケース５１の外側に配置されているため、主電線３６１を流れる電流と電源基板５２および電子部品５３との干渉を防ぐことができる。
【０２０７】
図７８は、本発明の第１５実施形態に基づくＬＥＤ照明装置を示している。本実施形態のＬＥＤ照明装置Ａ１５は、ホルダ１１のかわりにホルダ１４を備えているが、それ以外の構成はＬＥＤ照明装置Ａ３と同様であり、適宜説明を省略する。図７９には、ホルダ１４の斜視図を示しており、図８０には、ホルダ１４の正面図、側面図および平面図を示している。なお、本実施形態のホルダ１４の構成は、上述したＬＥＤ照明装置Ａ１，Ａ５に対しても適用可能である。
【０２０８】
ホルダ１４は、ホルダ１１と同様に、たとえば金属製のプレートに対して折り曲げ加工を施すことによって形成されており、１対の係止片１４ａ、１対の可撓部１４ｂ、土台部１４ｃ、屈曲部１４ｅ、および、屈曲部１４ｆを有している。屈曲部１４ｅ，１４ｆは、上記の金属製のプレートが折り曲げられて形成された部分である。ホルダ１４では、ホルダ１１と異なり、折り曲げ加工を行う前に、金属製のプレートの一部を切り抜く加工を行う。この加工により、ホルダ１４には、切り欠き１４ｄが形成されている。この切り欠き１４ｄにより、屈曲部１４ｅが図７９におけるｘ方向に分割された状態となっている。切り欠き１４ｄのｘ方向における長さは、屈曲部１４ｅのｘ方向における長さが、屈曲部１４ｆのｘ方向における長さと同じとなるように設定される。
【０２０９】
図７９および図８０に示すように、土台部１４ｃは、屈曲部１４ｅを介して１対の可撓部１４ｂを支持している。可撓部１４ｂは、屈曲部１４ｆを介して係止片１４ａを支える格好となっている。１対の可撓部１４ｂは外力が与えられると、１対の係止片１４ａを互いに接近離間させる方向に弾性変形可能とされている。１対の係止片１４ａは、ＬＥＤユニット２に係合する部分であり、図８０（ａ）において図中上方に向かうほど互いに距離が小となるように傾いている。本実施形態においては、複数のホルダ１４が凹部１０ａ内に設けられている。各係止片１４ａには、突出部１４ｇが設けられている。突出部１４ｇは、係止片１４ａの傾斜方向において、土台部１４ｃに向かって突出している。この突出部１４ｇが、支持部材３の係止溝３２３に対して係止片１４ａが直接係止する部分となっている。
【０２１０】
図９に示したホルダ１１では、ホルダ１４における屈曲部１４ｅに相当する部分がホルダ１４における屈曲部１４ｆに相当する部分と比較して長く、より剛性が高くなっている。このため、ホルダ１１では、ホルダ１４における屈曲部１４ｅに相当する部分がホルダ１４における屈曲部１４ｆに相当する部分よりも曲がりにくくなっている。その結果、１対の可撓部１１ｂに外力が加えられると、ホルダ１４における屈曲部１４ｆに相当する部分が比較的大きく変形することになり、この部分が塑性変形してしまうおそれがある。これが原因となって、ホルダ１１に保持されたＬＥＤユニット２の向きがずれることがあり、見栄えの悪化を招くことが懸念される。
【０２１１】
これに対して、ホルダ１４では、切り欠き１４ｄが設けられることにより、屈曲部１４ｅのｘ方向における長さは、屈曲部１４ｆのｘ方向における長さと同じになっている。このため、屈曲部１４ｅと屈曲部１４ｆとで変形しやすさに差がなく、１対の可撓部１４ｂに外力が加えられた際には、屈曲部１４ｅおよび屈曲部１４ｆが均等に変形する。従って、ホルダ１４では、屈曲部１４ｅおよび屈曲部１４ｆのいずれか一方のみが過大に塑性変形してしまうおそれが少ない。したがって、ホルダ１４は、より長い間、安定的にＬＥＤユニット２を保持することができ、ＬＥＤ照明装置Ａ１５はより好ましい外観をより長い間保つことが可能となっている。
【０２１２】
上述したホルダ１４では、切り欠き１４ｄが、可撓部１４ｂと土台部１４ｃの双方にわたって形成されているが、可撓部１４ｂまたは土台部１４ｃのいずれかにのみに形成されている場合も実施可能である。また、たとえばホルダ１３のように、係止片１４ａおよび可撓部１４ｂが１つしか設けられていない場合にも本発明は効果を発揮する。
【０２１３】
図８１〜図８５は、本発明の第１６実施形態に基づくＬＥＤ照明装置を示している。本実施形態のＬＥＤ照明装置Ａ１６は、図８１および図８２に示すように、平面視Ｌ字状であり、ｘ，ｙ方向に対して４５°傾斜する中央線Ｃｘｙを軸として線対称となるように形成されている。
【０２１４】
マウント１は、ｘ方向に延びる第１の支持体１０Ａと、ｙ方向に延びる第２の支持体１０Ｂと、第１，２の支持体１０Ａ，１０Ｂの適所に取り付けられた複数のホルダ１１と、２個のキャップ１２６と、によって構成されている。図８６に第１の支持体１０Ａの平面図、側面図、および、底面図を示している。
【０２１５】
第１の支持体１０Ａは、ベースプレート１１０およびウイング部１２０によって構成されている。ベースプレート１１０は、ｘ方向を長手方向とし、ｙ方向を幅方向とする細長の板状に形成されており、複数のネジ穴１１２を備えている。ウイング部１２０は、底板部１２１、２つの壁部１２２、および、２つの弓状部１２３を有しており、不透明なたとえば樹脂あるいはアルミからなる。底板部１２１は、ｚ方向視においてベースプレート１１０よりも広い細長の板状に形成されている。本実施形態では、底板部１２１は、ベースプレート１１０と一体となっている。２つの壁部１２２は、底板部１２１のｙ方向両端からｚ方向に起立している。底板部１２１および２つの壁部１２２は、ＬＥＤユニット２を収容するための凹部１０ａを構成している。２つの弓状部１２３は、２つの壁部１２２のｚ方向下端から延びており、凹部１０ａを挟んで配置されている。本実施形態における弓状部１２３は、たとえばＬＥＤ照明装置Ａ３における弓状部１２３と比較するとより平坦な形状となっている。さらに、図８６における上側の弓状部１２３は、下側の弓状部１２３よりも長くなるように形成されている。図８６によると、上下の弓状部１２３の左端の位置は揃っているが、右端の位置が異なっている。図８６中上側の弓状部１２３の右端は、下側の弓状部１２３の右端よりも右側に位置している。なお、上下の弓状部１２３の右端同士を結ぶ線は、第１の支持体１０Ａの長手方向に対して４５°傾斜している。
【０２１６】
第２の支持体１０Ｂは、第１の支持体１０Ａの図８６における上下を入れ替えたものとなっている。図８１に示すように、第２の支持体１０Ｂにおける短い方の弓状部１２３は、第１の支持体１０Ａにおける短い方の弓状部１２３と接している。また、第２の支持体１０Ｂにおける長い方の弓状部１２３は、第１の支持体１０Ａにおける長い方の弓状部１２３と接している。
【０２１７】
各キャップ１２６は、図８１および図８２に示すように、第１，２の支持体１０Ａ，１０Ｂの長手方向における互いに接しない方の端部に蓋をする部材である。図９１に、キャップ１２６の正面図、側面図、および平面図を示している。キャップ１２６は、底板部１２１に固定するための板部１２６ａを有している。
【０２１８】
図８１によると、第１の支持体１０Ａおよび第２の支持体１０ＢのそれぞれにＬＥＤユニット２が取り付けられている。第１の支持体１０Ａに支持されたＬＥＤユニット２が、ｘ方向に沿って延びる第１の発光部２Ａを形成し、第２の支持体１０Ｂに支持されたＬＥＤユニット２が、ｙ方向に沿って延びる第２の発光部２Ｂを形成している。各ＬＥＤユニット２は、図８３に示すように、複数のＬＥＤモジュール２０、支持部材３、カバー４、および電力変換部５を備えている。図８４には、第１，２の発光部２Ａ，２Ｂの交差部分を拡大して示しており、図８５には、第２の支持体１０Ｂの第１の支持体１０Ａから遠い方の端部を拡大して示している。図８４および図８５では、カバー４の一部または全部を省略している。
【０２１９】
本実施形態では、図８３〜図８５に示すように、複数のＬＥＤモジュール２０は、２列に並ぶように配置されている。各ＬＥＤモジュール２０は、図５に示すものと同じである。
【０２２０】
支持部材３は、複数のＬＥＤモジュール２０を支持しつつ、これに電力を供給するためのものであり、基板３１、ブラケット３２、および、キャップ３３１，３３２からなる。
【０２２１】
本実施形態では、図８４に示すように第１，２の発光部２Ａ，２Ｂの各基板３１同士を電気的に接続する配線群３１１が設けられている。
【０２２２】
図８７には、第２の発光部２Ｂのブラケット３２の平面図と左右の側面図とを示している。なお、図８７におけるブラケット３２の左側面図は図８４における左側の側面を示しており、右側面図は図８４における右側の側面を示している。図８７に示すように、ブラケット３２の長手方向における一方の端面は、長手方向に対して直交する面であり、他方の端面は、図中上方ほど図中右方に突出するように傾斜する面となっている。この傾斜面は、長手方向に対して４５°傾斜している。このブラケット３２は、断面コの字状であり、その底面の外側に基板３１が取り付けられている。また、このブラケット３２は、ＬＥＤ照明装置Ａ３のブラケット３２と同様の係止溝３２３，３２４，３２５を有している。
【０２２３】
各基板３１は、各ブラケット３２の長手方向に沿って長く延びる細長の長方形状に形成されている。
【０２２４】
キャップ３３１は、図８５に示すように、各ブラケット３２の長手方向における傾斜していない方の端部に取り付けられている。図８９には、キャップ３３１の正面図、側面図、および、取り付け前の状態を示す正面図を示している。図８９によると、キャップ３３１は、折り曲げ可能な１対の板部３３１ａを有している。１対の板部３３１ａは、折り曲げた状態において、ブラケット３２の両側面を挟みこむように形成されている。さらに１対の板部３３１ａにはネジ通し孔が形成されており、ブラケット３２の両側面にネジによって固定可能となっている。キャップ３３１の図８９における下方の部分は、カバー４の端部に対応する形状となっている。キャップ３３１は、各ブラケット３２およびカバー４の端部を覆うことにより、ＬＥＤ照明装置Ａ１６の内部が外から見えてしまうことを防いでいる。
【０２２５】
キャップ３３２は、図８４に示すように、各ブラケット３２の長手方向における傾斜している方の端部に取り付けられている。図９０には、キャップ３３２の正面図、側面図、平面図、および取り付け前の状態を示す正面図を示している。なお、図９０における正面図は、図８４において、中央線Ｃｘｙと直交する方向から見た正面図であり、平面図はｚ方向視の図である。このキャップ３３２は、キャップ３３１を４５°傾斜する方向に引き伸ばした形状をしている。キャップ３３２は、１対の板部３３２ａと、配線群３１１を通すための孔部３３２ｂを有している。１対の板部３３２ａは、折り曲げた状態において、ブラケット３２の両側面を挟みこむように形成されている。さらに１対の板部３３２ａにはネジ通し孔が形成されており、ブラケット３２の両側面にネジによって固定可能となっている。
【０２２６】
図８１に示すように、第１の発光部２Ａを形成するＬＥＤユニット２のカバー４は、図中左側の端部が、ｘ方向に対して４５°傾斜するように形成されている。図８８には、この傾斜した端部の拡大側面図を示している。本実施形態のカバー４のその他の構成はＬＥＤ照明装置Ａ３におけるカバー４と同様の構成である。このようなカバー４は、たとえばＬＥＤ照明装置Ａ３におけるカバー４を長手方向に対して４５°傾斜する切断面が得られるように切断することで形成することができる。一方、第２の発光部２Ｂを形成するＬＥＤユニット２のカバー４は、図８１中上側の端部が、ｙ方向に対して４５°傾斜し、かつ、第１の発光部２Ａにおけるカバー４の傾斜する端面と対向するように形成されている。
【０２２７】
第１，２の発光部２Ａ，２Ｂの各ＬＥＤユニット２には、電力変換部５が設けられている。各電力変換部５は、ケース５１の細部が異なる以外はＬＥＤ照明装置Ａ３におけるものと同様である。図９２には、本実施形態におけるケース５１の、要部側面図、正面図、および、要部平面図を示しており、図９３には展開図を示している。なお、ケース５１の正面図は、各ＬＥＤユニット２の長手方向視であり、平面図はｚ方向視である。このケース５１は、たとえば金属製であり、断面コの字状に形成されている。さらに、ケース５１は、複数の切り欠き部５１ａおよび電源基板５２を保持するための折り込み部５１ｃ，５１ｄを備えている。
【０２２８】
次に、ＬＥＤ照明装置Ａ１６の作用について説明する。
【０２２９】
ＬＥＤ照明装置Ａ１６は、たとえばＬＥＤ照明装置Ａ３と同様に、天井に取り付けられて使用されることが想定される。上述したようにＬＥＤ照明装置Ａ１６はＬ字状であるため、天井の角や、柱などに沿って設置するのに適している。
【０２３０】
Ｌ字状の照明が必要な場合、たとえば従来の蛍光ランプやＬＥＤ照明装置Ａ３などを２本用意してＬ字状に配置することが考えられる。しかしながら、このような場合、２本の蛍光ランプあるいはＬＥＤ照明装置Ａ３の交差部分は、発光しておらず、さらに、見るものに煩雑な印象を与え、見栄えが悪くなってしまうことがあった。それに対して、ＬＥＤ照明装置Ａ１６では、図８１に示すように、第１，２の発光部２Ａ，２Ｂの交差部分は、カバー４によって覆われており、見るものに煩雑な印象を与えにくくなっている。このため、ＬＥＤ照明装置Ａ１６は、単に直線状の光源をＬ字状の交差させた場合と比較してより見栄えがよくなっている。
【０２３１】
本実施形態では、第１，２の発光部２Ａ，２Ｂにおける各基板３１は、配線群３１１によって導通接続されている。このため、外部の電源が１つあれば第１，２の発光部２Ａ，２Ｂの双方を点灯させることができる。
【０２３２】
本実施形態では、第１，２の発光部２Ａ，２Ｂにおけるカバー４同士の間にキャップ３３２が挟まれた構成となっているが、キャップ３３２を介さずにカバー４同士が接するようにしても構わない。あるいは、第１，２の発光部２Ａ，２Ｂにおける各カバー４が一体となっている構成であっても構わない。
【０２３３】
図９４は、本発明の第１７実施形態に基づくＬＥＤ照明装置を示している。本実施形態のＬＥＤ照明装置Ａ１７は、基板３１の端部の形状が、ＬＥＤ照明装置Ａ１６と異なっており、それ以外の構成はＬＥＤ照明装置Ａ１６と同様である。
【０２３４】
図９４によると、本実施形態の基板３１の端部は、ブラケット３２の端部の傾斜に沿うように傾斜した形状となっている。すなわち、本実施形態の各基板３１は、図８４に示した各基板３１の端部に、平面視三角形状の追加部分３１ａを付け加えたものである。図９４に示すように、各追加部分３１ａには、円弧に沿って並び、中央線Ｃｘｙを軸として線対称となるように複数のＬＥＤモジュール２０が配置されている。
【０２３５】
ＬＥＤ照明装置Ａ１７では、Ｌ字の交差部分に設けられた追加部分３１ａに複数のＬＥＤモジュール２０が配置されているため、Ｌ字の交差部分も発光する。このため、ＬＥＤ照明装置Ａ１７は、Ｌ字の交差部分において光量が低下することがなく、点灯時の見栄えをより一層よくすることが可能である。
【０２３６】
さらに、本実施形態では、各追加部分３１ａのＬＥＤモジュール２０は、中央線Ｃｘｙを軸として線対称であるため、第１，第２の発光部２Ａ，２Ｂの一方が偏って明るくなることを防ぐことができ、より見栄えがよくなっている。
【０２３７】
図９５は、本発明の第１８実施形態に基づくＬＥＤ照明装置を示している。本実施形態のＬＥＤ照明装置Ａ１８は、Ｌ字の交差部分の構造がＬＥＤ照明装置Ａ１６と異なっており、その他の構成はＬＥＤ照明装置Ａ１６と同様である。
【０２３８】
ＬＥＤ照明装置Ａ１８では、Ｌ字の交差部分に平面視矩形状の追加基板３１ｂが設けられている。追加基板３１ｂは、ｘ，ｙ方向に延びる双方のブラケット３２によって支持されている。この追加基板３１ｂをブラケット３２に設置するために、本実施形態では、キャップ３３２は、図９０（ａ）における下半分を除去した形状となっている。また、簡略化のために図９５では省略しているが、追加基板３１ｂは、双方の基板３１と配線群によって導通接続されている。
【０２３９】
追加基板３１ｂには複数のＬＥＤモジュール２０が搭載されている。これらのＬＥＤモジュール２０は、たとえば図９５に示すように、中央線Ｃｘｙを軸として線対称となるように配置されている。
【０２４０】
このようなＬＥＤ照明装置Ａ１８では、Ｌ字の交差部分に追加基板３１ｂが設置されており、追加基板３１ｂにＬＥＤモジュール２０が搭載されているため、Ｌ字の交差部分も発光する。このため、Ｌ字の交差部分が暗くなることがなく、より一層見栄えをよくすることが可能である。
【０２４１】
なお、本実施形態では、追加基板３１ｂは基板３１の双方から独立しているが、追加基板３１ｂが基板３１のいずれかと一体となっていても構わない。さらに、双方の基板３１と追加基板３１ｂとが一体となった平面視Ｌ字状の基板を用いても構わない。
【０２４２】
図９６は、本発明の第１９実施形態に基づくＬＥＤ照明装置を示している。本実施形態のＬＥＤ照明装置Ａ１９は、追加基板３１ｂを設ける代わりに、第２の発光部２Ｂにおいて基板３１よりも長い基板３１’を設けており、その他の構成はＬＥＤ照明装置Ａ１８と同様である。
【０２４３】
本実施形態では、たとえば、基板３１’の長手方向全長に渡って複数のＬＥＤモジュール２０はｙ方向に沿うように配列されている。このようなＬＥＤ照明装置Ａ１８でも、Ｌ字の交差部分が発光するため、より一層見栄えをよくすることが可能である。
【０２４４】
図９７〜図１０２は、本発明の第２０実施形態に基づくＬＥＤ照明装置を示している。本実施形態のＬＥＤ照明装置Ａ２０は、ウイング部１２０が一対の外側カバー１２７を備える点、および、ベースプレート１１０を介さずにウイング部１２０が直接被取付け面Ｒｏに取り付けられている点において、上述したＬＥＤ照明装置と主に異なっているが、それ以外の構成は同様であり、適宜説明を省略する。図９７は、ＬＥＤ照明装置Ａ２０の要部斜視図を示している。図９８は、図９７に示したＬＥＤ照明装置Ａ２０の断面図を示している。図９９は、ウイング部１２０の正面図、図１００はウイング部１２０の平面図、図１０１はウイング部の側面図、図１０２はウイング部１２０の底面図を示している。なお、本実施形態における外側カバー１２７を備える構成は、ウイング部１２０を備える上述の全てのＬＥＤ照明装置に対しても適用可能である。
【０２４５】
外側カバー１２７はそれぞれ、壁部１２２のｙ方向端部につながる。２つの外側カバー１２７は、凹部１０ａを挟んで配置されている。２つの外側カバー１２７は、凹部１０ａを挟んで対称であるから、以下では一方の外側カバー１２７のみについて説明し、他方の外側カバー１２７の説明については省略する。
【０２４６】
外側カバー１２７は、外面１２７ａを有する。外面１２７ａは、第１面１２７ｂと、第２面１２７ｃと、第３面１２７ｄとを含む。第１面１２７ｂと第２面１２７ｃとの境界１２７ｆは、ｘ方向に沿って延びる直線状である。第２面１２７ｃと第３面１２７ｄとの境界１２７ｇは、ｘ方向に沿って延びる直線状である。外面１２７ａは、境界１２７ｆと、境界１２７ｇとにおいて、屈曲している。
【０２４７】
第１面１２７ｂは、被取付け面Ｒｏに臨む端縁１２７ｅを有し、且つ、鏡面である。第１面１２７ｂは、平面視においてｘ方向に沿って延びる帯状である。さらに第１面１２７ｂは、平面状である。本実施形態において第１面１２７ｂは、被取付け面Ｒｏに対し、端縁１２７ｅから垂直方向（すなわちｚ方向）に広がる。第１面１２７ｂのｚ方向における寸法は、たとえば５ｍｍである。
【０２４８】
第２面１２７ｃは、境界１２７ｆにおいて第１面１２７ｂとつながる。第２面１２７ｃは、平面視においてｘ方向に沿って延びる帯状である。さらに第２面１２７ｃは平面状である。上述のように境界１２７ｆにおいて外面１２７ａが屈曲している。そのため、第２面１２７ｃは、第１面１２７ｂに対し傾斜している。第２面１２７ｃはたとえば艶消し面である。第２面１２７ｃを艶消し面とするためには、たとえばヘアライン加工を施す。第２面１２７ｃのｚ方向における寸法は、たとえば２４ｍｍである。第２面１２７ｃのｙ方向における寸法は、たとえば１５ｍｍである。
【０２４９】
第３面１２７ｄは、境界１２７ｇにおいて第２面１２７ｃとつながる。第３面１２７ｄは、平面視においてｘ方向に沿って延びる帯状である。さらに第３面１２７ｄは平面状の鏡面である。第３面１２７ｄは、ＬＥＤユニット２に臨む端縁１２７ｈを有する。上述のように境界１２７ｇにおいて外面１２７ａが屈曲している。そのため、第３面１２７ｄは、第２面１２７ｃに対し傾斜している。本実施形態においては、第３面１２７ｄはｘｙ平面に広がる形状である。第３面１２７ｄのｙ方向における寸法はたとえば２ｍｍである。
【０２５０】
ウイング部１２０には、複数のネジ穴１２０ｈが形成されている。これらのネジ穴１２０ｈに図示しないネジをネジ込み、ウイング部１２０を被取付け面Ｒｏに取り付け、ウイング部１２０を被取付け面Ｒｏに固定する。
【０２５１】
次に、ＬＥＤ照明装置Ａ２０の作用について説明する。
【０２５２】
ＬＥＤ照明装置Ａ２０においては、外側カバー１２７の外面１２７ａが、鏡面である第１面１２７ｂを含む。そのため、被取付け面Ｒｏに取り付けられたＬＥＤ照明装置Ａ２０を見た場合、第１面１２７ｂには被取付け面Ｒｏが映りこむ。また、第１面１２７ｂは、被取付け面Ｒｏに臨む端縁１２７ｅを有する。そのため、第１面１２７ｂに被取付け面Ｒｏが映りこむと、第１面１２７ｂは被取付け面Ｒｏが続く部分である様に見えるため、第１面１２７ｂをＬＥＤ照明装置Ａ２０の部位として把握しにくくなる。従って、このようなＬＥＤ照明装置Ａ２０は、厚さ（ｚ方向における寸法）をより小さく見せるのに適する。
【０２５３】
ＬＥＤ照明装置Ａ２０においては、第１面１２７ｂは、被取付け面Ｒｏに対し端縁１２７ｅから垂直方向に広がる。このような構成によると、第１面１２７ｂに映りこんだ被取付け面Ｒｏが、実際の被取付け面Ｒｏに屈曲することなく続く面である様に見え易くなる。これにより、第１面１２７ｂをＬＥＤ照明装置Ａ２０の部位としてさらに把握しにくくなる。従って、このようなＬＥＤ照明装置Ａ２０は、厚さをより小さく見せるのに適する。
【０２５４】
ＬＥＤ照明装置Ａ２０においては、第１面１２７ｂは平面状である。平面状である第１面１２７ｂは、実際の被取付け面Ｒｏを、歪ませることなく正確に映す。このような構成によると、第１面１２７ｂに映りこんだ被取付け面Ｒｏが、実際の被取付け面Ｒｏに一連に続く面である様に見え易くなる。これにより、第１面１２７ｂをＬＥＤ照明装置Ａ２０の部位としてさらに把握しにくくなる。従って、このようなＬＥＤ照明装置Ａ２０は、厚さをより小さく見せるのに適する。
【０２５５】
ＬＥＤ照明装置Ａ２０においては、外側カバー１２７の外面１２７ａは、第２面１２７ｃを含む。第２面１２７ｃは鏡面でなく艶消し面であるため、第２面１２７ｃには被取付け面Ｒｏが映りこまない。また、第２面１２７ｃは、直線状の境界１２７ｆにおいて第１面１２７ｂとつながる。第２面１２７ｃに被取付け面Ｒｏが映りこまず、且つ、境界１２７ｆが直線状であると、境界１２７ｆがあたかもＬＥＤ照明装置Ａ２０の端部であるかのように認識されうる。そのため外面１２７ａのうち境界１２７ｆから第２面１２７ｃ側の部位がＬＥＤ照明装置Ａ２０の部位として把握されやすくなる。これにより、第１面１２７ｂをＬＥＤ照明装置Ａ２０の部位としてさらに把握しにくくなる。従って、このようなＬＥＤ照明装置Ａ２０は、厚さをより小さく見せるのに適する。
【０２５６】
ＬＥＤ照明装置Ａ２０においては、外面１２７ａは、境界１２７ｆにおいて屈曲している。そのため、境界１２７ｆがＬＥＤ照明装置Ａ２０の端部であるかのように認識されうる。よって、外面１２７ａのうち境界１２７ｆから第２面１２７ｃ側の部分がＬＥＤ照明装置Ａ２０の部位であるとしてさらに把握されやすくなる。これにより、第１面１２７ｂをＬＥＤ照明装置Ａ２０の部位としてさらに把握しにくくなる。従って、このようなＬＥＤ照明装置Ａ２０は、厚さをより小さく見せるのに適する。
【０２５７】
図１０３〜図１０６は、本発明の第２１実施形態に基づくＬＥＤ照明装置を示している。本実施形態のＬＥＤ照明装置Ａ２１は、被取付け面である天井などの壁面Ｗに設けられた開口Ｗよりも奥方にその大部分が埋め込まれる構成である点が、上述した実施形態と異なっている。ＬＥＤ照明装置Ａ２１は、マウント１およびＬＥＤユニット２を備えている。
【０２５８】
ＬＥＤユニット２は、図３および図４に示すＬＥＤユニット２とほぼ同一の構成とされており、全体として細長状とされている。
【０２５９】
マウント１は、箱部１５ａおよび額縁部１５ｂからなり、たとえば厚さ０．８ｍｍ程度の鋼板を折り曲げ加工することによって形成されている。箱部１５ａは、細長直方形状とされており、たとえば幅が５０ｍｍ程度、深さが２９ｍｍ程度、長さが１２３０ｍｍ程度とされており、長さ１２２７ｍｍ程度のＬＥＤユニット２のほとんどを収容している。より具体的には、図１０５および図１０６に示すように、本実施形態においては、ＬＥＤユニット２の高さが３２ｍｍ程度であるため、ＬＥＤユニット２のカバー４が高さ方向で３ｍｍ程度箱部１５ａ（マウント１）から突出している。箱部１５ａの幅および長さは、壁面Ｗの開口Ｗａに嵌まり込む大きさとされている。
【０２６０】
額縁部１５ｂは、箱部１５ａの周縁につながっており、全体として細長長方形の枠状である。図１０５および図１０６に示すように、額縁部１５ｂは、箱部１５ａの端部に対して直角に、すなわち壁面Ｗに平行な、幅８ｍｍ強程度の部分と、この部分から壁面Ｗに向かって７ｍｍ程度延びる部分とによって構成されている。これにより、額縁部１５ｂは、壁面Ｗの開口Ｗａよりも若干大きいサイズとされており、壁面Ｗに係合している。
【０２６１】
ＬＥＤユニット２のマウント１への固定は、ホルダ１１によってなされている。ホルダ１１は、図３８〜図４１に示した構成と類似の構成とされている。本実施形態においては、ホルダ１１は、金属プレートを折り曲げ加工することによって形成されており、係止部１１ｄおよび可撓部１１ｂを有する。係止部１１ｄは、金属板がＬＥＤユニット２側に突出するように折り曲げられた部分であり、ＬＥＤユニット２のブラケット３２のアウター部３２２の凸部３２６に係合する。可撓部１１ｂは、係止部１１ｄよりも根元側に位置しており、弾性変形することにより、係止部１１ｄがアウター部３２２に係合する状態と離間する状態とをとることを許容する。なお、図１０７に示すように、ホルダ１１としては、図３８〜４１に示した構成と同一のものを採用してもよい。
【０２６２】
また、本実施形態においては、ＬＥＤユニット２を固定するために、ワイヤホルダ１６１が設けられている。ワイヤホルダ１６１は、ワイヤを折り曲げ加工することによって形成されており、マウント１に形成された２つの係合部１５ｃにおいて、マウント１に対して回動可能に支持されている。図１０６に示すように、ワイヤホルダ１６１は、ＬＥＤユニット４のカバー４に沿って湾曲する部分、ＬＥＤユニット２のブラケット３２のアウター部３２２に係合する屈曲部分を有している。
【０２６３】
図１０３および図１０４に示すように、ＬＥＤユニット２をマウント１に固定する場合、ワイヤホルダ１６１を閉状態とする。一方ＬＥＤユニット２をマウント１に対して脱着する場合、ワイヤホルダ１６１を回動させることにより開状態とする。図１０４に示すように、ワイヤホルダ１６１は、開状態であっても依然としてＬＥＤユニット２の下方に位置している。
【０２６４】
次に、ＬＥＤ照明装置Ａ２１の作用について説明する。
【０２６５】
ＬＥＤ照明装置Ａ２１は、そのほとんどが壁面Ｗの奥方に位置している。このため、壁面Ｗから飛び出している部分をより小さくすることが可能である。これにより、壁面Ｗ全体をフラットな面に近い状態とすることが可能であり、室内がスマートであるという印象を与えることができる。
【０２６６】
箱部１５ａにＬＥＤユニット２を収容することにより、ＬＥＤユニット２を壁面Ｗの奥方に配置するとともに、ＬＥＤユニット２を所望の位置に固定することができる。ホルダ１１は、ＬＥＤユニット２をマウント１に対して簡単な作業で取り付けることを可能としている。また、ホルダワイヤ１６１は、ＬＥＤユニット２の脱着を容易に行うのに都合がよい。一方、ホルダワイヤ１６１は、ワイヤからなる細い部材であるため、ＬＥＤユニット２からの光を不当に遮り過ぎるおそれが少ない。
【０２６７】
マウント１よりもＬＥＤユニット２の一部であるカバー４が突出していることにより、カバー４を透過した光がマウント１によって遮られてしまうことを抑制できる。これは、ＬＥＤ照明装置Ａ２１によって、より広い範囲を照らすのに好適である。
【０２６８】
図１０８は、本発明の第２２実施形態に基づくＬＥＤ照明装置を示している。本実施形態のＬＥＤ照明装置Ａ２２は、複数のＬＥＤユニット２を備える点が上述したＬＥＤ照明装置Ａ２１と異なっている。
【０２６９】
ＬＥＤ照明装置Ａ２２においては、マウント１の箱部１５ａの長さが、複数のＬＥＤユニット２の長さをほぼ整数倍した長さとされている。箱部１５ａには、複数のＬＥＤユニット２が直列に配置されている。
【０２７０】
このような実施形態によれば、比較的大きな部屋の天井の端から端までに至る長さでありながら、継ぎ目がほとんど目立たない構成とすることができる。
【０２７１】
図１０９〜図１１２は、本発明の第２３実施形態に基づくＬＥＤ照明装置を示している。本実施形態のＬＥＤ照明装置Ａ２３は、２つのＬＥＤユニット２を備えている。図１０９および図１１１、図１１２に示すように、本実施形態においては、箱部１５ａの幅が１００ｍｍ程度と、ＬＥＤユニットの幅３３ｍｍの２倍よりもさらに大きいサイズとされている。これにより、箱部１５ａには、２つのＬＥＤユニット２が並列に収容されている。
【０２７２】
また、本実施形態においては、ＬＥＤユニット２に、２つの解除レバー１６２が設けられている。各解除レバー１６２は、たとえば厚さ１．６ｍｍ程度の鋼板製であり、幅が１０ｍｍ程度の帯状部材である。２つの解除レバー１６１は、ＬＥＤユニット２の支持部材３に対してボルトによって回動可能に支持されている。図１１０において、実線で示された解除レバー１６２は、ＬＥＤユニット２がマウント１に固定された状態を示している。一方、二点鎖線で示された解除レバー１６２は、ＬＥＤユニット２をマウント１から取り外すときの状態を示している。解除レバー１６２は、ＬＥＤユニット２の長手方向と直角である方向に起立させると、壁面Ｗよりも奥方にある端部が支持部材３よりも奥方に突出し、箱部１５ａの底を押す格好となる。この反作用力によって、ＬＥＤユニット２をマウント１から取り外すことができる。
【０２７３】
このような実施形態によれば、ＬＥＤユニット２を１列だけ有する構成と比較して、同じ長さでもより明るい照度で室内を照らすことができる。また、解除レバー１６１を用いれば、比較的接近して並列に配置された２つのＬＥＤユニット２１を個別に容易に取り外すことができる。
【０２７４】
図１１３は、本発明の第２４実施形態に基づくＬＥＤ照明装置を示している。本実施形態のＬＥＤ照明装置Ａ２４は、複数のＬＥＤユニット２を備えている。箱部１５ａは、その幅が１００ｍｍ程度、その長さがＬＥＤユニット２の長さのほぼ整数倍とされている。これにより、箱部１５ａには、複数のＬＥＤユニット２が直列に、かつ２列である配置で収容されている。このような実施形態によれば、より大きな部屋を十分な照度で照らすことができる。
【０２７５】
本発明に係るＬＥＤ照明装置は、上述した実施形態に限定されるものではない。本発明に係るＬＥＤ照明装置の各部の具体的な構成は、種々に設計変更自在である。
【０２７６】
基板３１にＬＥＤモジュール２０を搭載する構成に限定されず、支持部材３に絶縁層および配線パターンを形成し、これにＬＥＤモジュール２０を搭載する構成としてもよい。ＬＥＤモジュール２０を有する構成は、ＬＥＤチップ２２からの光を効率よく出射させるのに適しているが、本発明はこれに限定されず、たとえば基板３１にＬＥＤチップ２２を直接搭載した構成であってもよい。
【０２７７】
たとえば、ＬＥＤ照明装置Ａ１６〜Ａ１９では、長手方向における片側の端部が傾斜しているブラケット３２を用いているが、ＬＥＤ照明装置Ａ３，Ａ１４において示したブラケット３２でも代用可能である。
【０２７８】
また、ＬＥＤ照明装置Ａ１６〜Ａ１９では、第１，２の発光部１Ａ，２Ａがそれぞれ互いに直交する方向に細長く延びるように形成されているが、本発明における第１，２の発光部が延びる方向は上述した実施形態に限定されるものではない。たとえば、装飾等の目的で、第１，２の発光部の延びる方向がなす角が鋭角あるいは鈍角である場合も実施可能である。
【０２７９】
基板３１あるいは追加基板３１ｂにＬＥＤモジュール２０を搭載する構成に限定されず、支持部材３に絶縁層および配線パターンを形成し、これにＬＥＤモジュール２０を搭載する構成としてもよい。ＬＥＤモジュール２０を有する構成は、ＬＥＤチップ２２からの光を効率よく出射させるのに適しているが、本発明はこれに限定されず、たとえば基板３１あるいは追加基板３１ｂにＬＥＤチップ２２を直接搭載した構成であってもよい。
【符号の説明】
【０２８０】
Ａ１〜Ａ２４  ＬＥＤ照明装置
Ｃｙ    中央線
Ｃｘｙ  中央線
Ｄ      取り外し冶具
Ｅ      交流電源
Ｌｗ    直線指標
Ｒｏ    被取付け面
Ｓ１，Ｓ２  スイッチ
Ｔ      トランス
Ｗ，Ｗ’，Ｗ’’  壁面（被取付け面）
ｘ      （第１）方向
ｙ      （第３）方向
ｚ      （第２）方向
１      マウント（支持体）
２      ＬＥＤユニット
３      支持部材
４      カバー
５      電力変換部
１０    本体
１０Ａ  第１の支持体
１０Ｂ  第２の支持体
１０ａ  凹部
１１    ホルダ
１１ａ  係止片
１１ｂ  可撓部
１１ｃ  切り欠き部
１１ｄ  係止部
１２    ホルダ
１２ａ  嵌合部
１２ｂ  可撓部
１２ｃ  鉤状部
１３    ホルダ
１３ａ  係止片
１３ｂ  可撓部
１３ｃ  固定部
１４    ホルダ
１４ａ  係止片
１４ｂ  可撓部
１４ｃ  土台部
１４ｄ  切り欠き
１４ｅ，１４ｆ  屈曲部
１４ｇ  突出部
１５ａ  箱部
１５ｂ  額縁部
１５ｃ  係合部
１６１  ワイヤホルダ
１６２  解除レバー
２０    ＬＥＤモジュール
２０ａ  照度確認用ＬＥＤチップ
２０ｂ  報知用ＬＥＤチップ
２１    リード
２１ａ  実装端子
２２    ＬＥＤチップ
２３    封止樹脂
２４    リフレクタ
３１    基板
３１ａ  追加部分
３１ｂ  追加基板
３２    ブラケット
３２ａ  収容空間
３２ｂ  凹部
３３    ネジ（凸部）
３４    コネクタ
３４ａ，３４ｂ，３４ｃ  コネクタ
３５    シャフト
３５ａ  根元部
３５ｂ  先端部
３６    電線群
４１，４２  係止片
４１ａ  端部
４１ｂ  段差部
４２ａ  係止面
４２ｂ  傾斜面
４３    中央部（強拡散部）
４４    拡散部材
５１    ケース
５１ａ  切り欠き部
５１ｂ  保持具
５１ｃ，５１ｄ  折り込み部
５２    電源基板
５３    電子部品
５４    検知手段
５５    電圧検知手段
５６ａ，５６ｂ    抵抗器
５７    調整用抵抗
１１０  ベースプレート
１１０ａ  取り付け面
１１０ｂ，１１０ｃ  指標部
１１１  膨出部
１１１ａ（ウイング連結用）ネジ穴
１１２（天井取り付け用）ネジ穴
１１２ａ  長孔状部
１１２ｂ  凹部
１１２ｃ  ネジ穴
１１２ｄ  指標部
１１３  長板部
１１４，１１４ｂ，１１４ｃ，１１５  板状部材
１１４ａ  切り欠き部
１１６  遮光部
１１６ａ  空洞部分
１１６ｂ  孔部
１２０  ウイング部
１２０ｈ  ネジ穴
１２１  底板部
１２１ａ  ネジ通し穴
１２２  壁部
１２３  弓状部
１２４  連結部
１２５  規制部材
１２６  キャップ
１２７  外側カバー
１２７ａ  外面
１２７ｂ  第１面
１２７ｃ  第２面
１２７ｄ  第３面
１２７ｅ，１２７ｈ  端縁
１２７ｆ，１２７ｇ  境界
１３１  ネジ（連結手段）
１３２  ネジ（取り付け手段）
１４１  ワッシャ（調整部材）
１４２  バネ（弾性部材、調整部材）
１４３  積層体（調整部材）
１４４  シール（膜状部材）
１５０  ベース金具
３１１  配線群
３２１  ベース部
３２１ａ  凹部
３２２    アウター部
３２２ａ  リフレクタ
３２３  （固定用）係止溝
３２４，３２５（カバー用）係止溝
３２４ａ  係止面
３２５ａ  係止面
３２５ｂ  凸片
３２６  凸部
３３１，３３２  キャップ
３６１  主電線
３６１ａ  電力線
３６１ｂ  信号線
３６２  連結線
【図１】
2020035763.tif 000003
【図２】
2020035763.tif 000004
【図３】
2020035763.tif 000005
【図４】
2020035763.tif 000006
【図５】
2020035763.tif 000007
【図６】
2020035763.tif 000008
【図７】
2020035763.tif 000009
【図８】
2020035763.tif 000010
【図９】
2020035763.tif 000011
【図１０】
2020035763.tif 000012
【図１１】
2020035763.tif 000013
【図１２】
2020035763.tif 000014
【図１３】
2020035763.tif 000015
【図１４】
2020035763.tif 000016
【図１５】
2020035763.tif 000017
【図１６】
2020035763.tif 000018
【図１７】
2020035763.tif 000019
【図１８】
2020035763.tif 000020
【図１９】
2020035763.tif 000021
【図２０】
2020035763.tif 000022
【図２１】
2020035763.tif 000023
【図２２】
2020035763.tif 000024
【図２３】
2020035763.tif 000025
【図２４】
2020035763.tif 000026
【図２５】
2020035763.tif 000027
【図２６】
2020035763.tif 000028
【図２７】
2020035763.tif 000029
【図２８】
2020035763.tif 000030
【図２９】
2020035763.tif 000031
【図３０】
2020035763.tif 000032
【図３１】
2020035763.tif 000033
【図３２】
2020035763.tif 000034
【図３３】
2020035763.tif 000035
【図３４】
2020035763.tif 000036
【図３５】
2020035763.tif 000037
【図３６】
2020035763.tif 000038
【図３７】
2020035763.tif 000039
【図３８】
2020035763.tif 000040
【図３９】
2020035763.tif 000041
【図４０】
2020035763.tif 000042
【図４１】
2020035763.tif 000043
【図４２】
2020035763.tif 000044
【図４３】
2020035763.tif 000045
【図４４】
2020035763.tif 000046
【図４５】
2020035763.tif 000047
【図４６】
2020035763.tif 000048
【図４７】
2020035763.tif 000049
【図４８】
2020035763.tif 000050
【図４９】
2020035763.tif 000051
【図５０】
2020035763.tif 000052
【図５１】
2020035763.tif 000053
【図５２】
2020035763.tif 000054
【図５３】
2020035763.tif 000055
【図５４】
2020035763.tif 000056
【図５５】
2020035763.tif 000057
【図５６】
2020035763.tif 000058
【図５７】
2020035763.tif 000059
【図５８】
2020035763.tif 000060
【図５９】
2020035763.tif 000061
【図６０】
2020035763.tif 000062
【図６１】
2020035763.tif 000063
【図６２】
2020035763.tif 000064
【図６３】
2020035763.tif 000065
【図６４】
2020035763.tif 000066
【図６５】
2020035763.tif 000067
【図６６】
2020035763.tif 000068
【図６７】
2020035763.tif 000069
【図６８】
2020035763.tif 000070
【図６９】
2020035763.tif 000071
【図７０】
2020035763.tif 000072
【図７１】
2020035763.tif 000073
【図７２】
2020035763.tif 000074
【図７３】
2020035763.tif 000075
【図７４】
2020035763.tif 000076
【図７５】
2020035763.tif 000077
【図７６】
2020035763.tif 000078
【図７７】
2020035763.tif 000079
【図７８】
2020035763.tif 000080
【図７９】
2020035763.tif 000081
【図８０】
2020035763.tif 000082
【図８１】
2020035763.tif 000083
【図８２】
2020035763.tif 000084
【図８３】
2020035763.tif 000085
【図８４】
2020035763.tif 000086
【図８５】
2020035763.tif 000087
【図８６】
2020035763.tif 000088
【図８７】
2020035763.tif 000089
【図８８】
2020035763.tif 000090
【図８９】
2020035763.tif 000091
【図９０】
2020035763.tif 000092
【図９１】
2020035763.tif 000093
【図９２】
2020035763.tif 000094
【図９３】
2020035763.tif 000095
【図９４】
2020035763.tif 000096
【図９５】
2020035763.tif 000097
【図９６】
2020035763.tif 000098
【図９７】
2020035763.tif 000099
【図９８】
2020035763.tif 000100
【図９９】
2020035763.tif 000101
【図１００】
2020035763.tif 000102
【図１０１】
2020035763.tif 000103
【図１０２】
2020035763.tif 000104
【図１０３】
2020035763.tif 000105
【図１０４】
2020035763.tif 000106
【図１０５】
2020035763.tif 000107
【図１０６】
2020035763.tif 000108
【図１０７】
2020035763.tif 000109
【図１０８】
2020035763.tif 000110
【図１０９】
2020035763.tif 000111
【図１１０】
2020035763.tif 000112
【図１１１】
2020035763.tif 000113
【図１１２】
2020035763.tif 000114
【図１１３】
2020035763.tif 000115
【図１１４】
2020035763.tif 000116